(57)【特許請求の範囲】
【請求項１】
コンテンツを記憶する外部装置にネットワーク経由でデータアクセス可能なコンピュータに実行させるための制御プログラムであって、
前記コンピュータには、コンテンツを記憶する記憶部が設けられており、
前記制御プログラムは、
前記コンピュータに記憶されているコンテンツを再生する再生ステップと、
前記再生ステップにより再生されるコンテンツの続きとなる続きコンテンツを、前記コンピュータおよび前記外部装置から検索する検索ステップとを備え、
前記再生ステップは、前記再生されているコンテンツの再生終了後、前記検索ステップにより検索された前記続きコンテンツを再生するステップを含む、制御プログラム。
【請求項２】
前記検索ステップは、コンテンツのタイトルに基づいて前記続きコンテンツを検索することを特徴とする、請求項１に記載の制御プログラム。
【請求項３】
前記検索ステップは、同一タイトルであるコンテンツの時間的連続性に基づいて前記続きコンテンツを検索することを特徴とする、請求項１に記載の制御プログラム。
【請求項４】
コンテンツを記憶する外部装置にネットワーク経由でデータアクセス可能なコンテンツ再生装置に実行させるための制御方法であって、
前記コンテンツ再生装置には、コンテンツを記憶する記憶部が設けられており、
前記制御方法は、
前記コンテンツ再生装置に記憶されているコンテンツを再生する再生ステップと、
前記再生ステップにより再生されるコンテンツの続きとなる続きコンテンツを、前記コンテンツ再生装置および前記外部装置から検索する検索ステップとを備え、
前記再生ステップは、前記再生されているコンテンツの再生終了後、前記検索ステップにより検索された前記続きコンテンツを再生するステップを含む、制御方法。
【請求項５】
コンテンツを記憶する外部装置にネットワーク経由でデータアクセス可能なコンテンツ再生装置であって、
コンテンツを記憶する記憶手段と、
前記記憶手段に記憶されているコンテンツを再生する再生手段と、
前記再生手段により再生されるコンテンツの続きとなる続きコンテンツを、前記記憶手段および前記外部装置から検索する検索手段とを備え、
前記再生手段は、前記再生されているコンテンツの再生終了後、前記検索手段により検索された前記続きコンテンツを再生する、コンテンツ再生装置。
【発明の詳細な説明】
【技術分野】
【０００１】
本発明は、制御プログラム、制御方法およびコンテンツ再生装置に関し、特に、コンテンツの再生処理を行なう、制御プログラム、制御方法およびコンテンツ再生装置に関する。
【背景技術】
【０００２】
放送により提供されるコンテンツを録画し、録画したコンテンツを再生可能なコンテンツ再生装置が普及しつつある。ここで、コンテンツとは、たとえば、番組の動画像等である。特開２０００−２６１７４２号公報（特許文献１）には、１つのコンテンツを構成する複数の断片データの各々のメタ情報を利用して、コンテンツの再生を柔軟に行なう技術が開示されている。
【特許文献１】特開２０００−２６１７４２号公報
【発明の開示】
【発明が解決しようとする課題】
【０００３】
最近では、複数のコンテンツ再生装置がネットワークで接続されたホームネットワークが普及しつつある。そのため、複数のコンテンツ再生装置の各々において録画されたコンテンツが共有される場面も増えつつある。
【０００４】
しかしながら、特開２０００−２６１７４２号公報（特許文献１）に開示されている技術では、複数のコンテンツ再生装置において共有されるコンテンツの再生は考慮されていない。
【０００５】
本発明は、上述の問題点を解決するためになされたものであって、その目的は、ネットワークにおいて共有されているコンテンツの再生の利便性を向上させた制御プログラムを提供することである。
【０００６】
本発明の他の目的は、ネットワークにおいて共有されているコンテンツの再生の利便性を向上させた制御方法を提供することである。
【０００７】
本発明のさらに他の目的は、ネットワークにおいて共有されているコンテンツの再生の利便性を向上させたコンテンツ再生装置を提供することである。
【課題を解決するための手段】
【０００８】
上述の課題を解決するために、この発明のある局面に従うと、コンテンツを記憶する外部装置にネットワーク経由でデータアクセス可能なコンピュータに実行させるための制御プログラムであって、コンピュータには、コンテンツを記憶する記憶部が設けられており、制御プログラムは、コンピュータに記憶されているコンテンツを再生する再生ステップと、再生ステップにより再生されるコンテンツの続きとなる続きコンテンツを、コンピュータおよび外部装置から検索する検索ステップとを備え、再生ステップは、再生されているコンテンツの再生終了後、検索ステップにより検索された続きコンテンツを再生するステップを含む。
【０００９】
好ましくは、検索ステップは、コンテンツのタイトルに基づいて続きコンテンツを検索することを特徴とする
好ましくは、検索ステップは、同一タイトルであるコンテンツの時間的連続性に基づいて続きコンテンツを検索することを特徴とする。
【００１０】
この発明の他の局面に従うと、コンテンツを記憶する外部装置にネットワーク経由でデータアクセス可能なコンテンツ再生装置に実行させるための制御方法であって、コンテンツ再生装置には、コンテンツを記憶する記憶部が設けられており、制御方法は、コンテンツ再生装置に記憶されているコンテンツを再生する再生ステップと、再生ステップにより再生されるコンテンツの続きとなる続きコンテンツを、コンテンツ再生装置および外部装置から検索する検索ステップとを備え、再生ステップは、再生されているコンテンツの再生終了後、検索ステップにより検索された続きコンテンツを再生するステップを含む。
【００１１】
この発明のさらに他の局面に従うと、コンテンツを記憶する外部装置にネットワーク経由でデータアクセス可能なコンテンツ再生装置であって、コンテンツを記憶する記憶手段と、記憶手段に記憶されているコンテンツを再生する再生手段と、再生手段により再生されるコンテンツの続きとなる続きコンテンツを、記憶手段および外部装置から検索する検索手段とを備え、再生手段は、再生されているコンテンツの再生終了後、検索手段により検索された続きコンテンツを再生する。
【発明の効果】
【００１２】
本発明に係る制御プログラムは、再生されるコンテンツの続きとなる続きコンテンツを、複数の装置から検索し、検索された続きコンテンツを再生する。
【００１３】
したがって、ネットワークにおいて共有されているコンテンツの再生の利便性を向上させることができるという効果を奏する。
【００１４】
本発明に係る制御方法は、再生されるコンテンツの続きとなる続きコンテンツを、複数の装置から検索し、検索された続きコンテンツを再生する。
【００１５】
したがって、ネットワークにおいて共有されているコンテンツの再生の利便性を向上させることができるという効果を奏する。
【００１６】
本発明に係るコンテンツ再生装置は、再生されるコンテンツの続きとなる続きコンテンツを、複数の装置から検索し、検索された続きコンテンツを再生する。
【００１７】
したがって、ネットワークにおいて共有されているコンテンツの再生の利便性を向上させることができるという効果を奏する。
【発明を実施するための最良の形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
図１は、本実施の形態におけるネットワークシステム１０００の構成を示す図である。図１を参照して、ネットワークシステム１０００には、ホームネットワーク５０１と、コンテンツサーバ６００とが含まれる。
【００２０】
ホームネットワーク５０１は、たとえば、宅内に設けられたネットワークである。宅内とは、たとえば、ユーザの自宅内、会社内等である。ホームネットワーク５０１には、コンテンツ再生装置５００Ａ，５００Ｂ，５００Ｃと、通信部５０とが含まれる。
【００２１】
コンテンツ再生装置５００Ａ，５００Ｂ，５００Ｃの各々は、ＰＣ（Personal Computer）である。なお、コンテンツ再生装置５００Ａ，５００Ｂ，５００Ｃの各々は、ＰＣに限定されることなく、放送または通信により提供されるコンテンツを記録する機能および通信機能を備えた装置であればどのような装置でもよい。コンテンツ再生装置５００Ａ，５００Ｂ，５００Ｃの各々は、たとえば、ＨＤＤ（Hard disk drive）レコーダ、ＤＶＤ（Digital Versatile Disc）レコーダ等であってもよい。
【００２２】
通信部５０は、コンテンツ再生装置５００Ａ，５００Ｂ，５００Ｃおよびネットワーク７０と、データ通信を行なう機能を有する。ネットワーク７０は、インターネットなどの外部のネットワークである。
【００２３】
通信部５０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５０は、コンテンツ再生装置５００Ａ，５００Ｂ，５００Ｃおよびネットワーク７０と、無線でデータ通信を行なうことが可能である。
【００２４】
また、通信部５０は、さらに、イーサネット（登録商標）を利用した通信用インターフェースの機能（たとえば、ルータ機能）を有する。したがって、通信部５０は、たとえば、ＬＡＮケーブルを介して、コンテンツ再生装置５００Ａ，５００Ｂ，５００Ｃおよびネットワーク７０とデータ通信を行なうことができる。すなわち、通信部５０は、コンテンツ再生装置５００Ａ，５００Ｂ，５００Ｃおよびネットワーク７０と、有線でデータ通信を行なうことが可能である。
【００２５】
コンテンツサーバ６００は、たとえば、動画像等のコンテンツを提供するサーバ、ビデオ・オン・デマンドのサービスを提供するサーバおよび放送局内のサーバ等のいずれであってもよい。コンテンツサーバ６００は、ＰＣである。なお、コンテンツサーバ６００は、ＰＣに限定されることなく、放送または通信により提供されるコンテンツを記録する機能および通信機能を備えた装置であればどのような装置でもよい。
【００２６】
コンテンツサーバ６００には、多くのコンテンツが記憶されている。コンテンツサーバ６００は、ネットワーク７０と、無線または有線でデータ通信を行なう。コンテンツサーバ６００は、たとえば、所定期間（たとえば、１週間）の全てのチャンネルの番組を録画している。また、コンテンツサーバ６００は、番組の録画データ以外の動画像等のコンテンツも記憶している。また、コンテンツサーバ６００は、コンテンツとしての１つの番組全てではなく、１つの番組のうちの一部分のみの視聴を望むユーザのために当該一部分のデータの購入を可能にするサーバである。
【００２７】
なお、コンテンツ再生装置５００Ａ、コンテンツ再生装置５００Ｂおよびコンテンツ再生装置５００Ｃの識別名（端末名）は、それぞれ、ＰＣ５００Ａ、ＰＣ５００ＢおよびＰＣ５００Ｃである。
【００２８】
図２は、本実施の形態におけるコンテンツ再生装置５００Ａの内部の構成を示すブロック図である。なお、図２には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００２９】
図２を参照して、コンテンツ再生装置５００Ａには、表示部５３０と、マウス５４２と、キーボード５４４とが接続される。
【００３０】
表示部５３０は、文字や画像等を表示する機能を有する。表示部５３０は、コンテンツ再生装置５００Ａから出力された画像データに基づいた画像を表示する。表示部５３０は、ＬＣＤパネル（Liquid Crystal Display Panel）、ＣＲＴ（Cathode Ray Tube）、ＦＥＤパネル（Field Emission Display Panel）、ＰＤＰ（Plasma Display Panel）および有機ＥＬディスプレイパネル（Organic Electro luminescence Display Panel）のいずれかを使用した表示装置である。なお、表示部５３０は、上記以外の表示方式のパネルを使用した装置であってもよい。
【００３１】
マウス５４２は、ユーザがコンテンツ再生装置５００Ａを操作するためのインターフェースである。キーボード５４４は、ユーザがコンテンツ再生装置５００Ａを操作するためのインターフェースである。なお、表示部５３０およびキーボード５４４は、コンテンツ再生装置５００Ａの内部に設けられる構成であってもよい。また、マウス５４２は、たとえば、タッチパッド等として、コンテンツ再生装置５００Ａの内部に設けられる構成であってもよい。また、コンテンツ再生装置５００Ａには、ペンタブレットが入力機器として接続されていてもよい。以下においては、ユーザによる、マウス５４２またはキーボード５４４の操作を、インターフェース操作Ｐともいう。
【００３２】
コンテンツ再生装置５００Ａは、制御部５１０と、一時記憶部５２２と、記憶部５２０とを備える。
【００３３】
記憶部５２０は、データを不揮発的に記憶する機能を有する。記憶部５２０は、制御部５１０によってデータアクセスされる。記憶部５２０は、大容量のデータを記憶可能なハードディスクである。なお、記憶部５２０は、ハードディスクに限定されることなく、電源を供給されなくてもデータを不揮発的に保持可能な媒体（たとえば、フラッシュメモリ）であればよい。記憶部５２０には、プログラム１８０、後述する、録画データ、番組情報データテーブル、メタ情報ファイルおよびメタ情報パス名テーブル、設定データ、その他の各種データ等が記憶されている。プログラム１８０は、後述する、ファイルパス名取得プログラムおよびコンテンツ取扱いプログラムを含む。
【００３４】
制御部５１０は、記憶部５２０に記憶されたプログラム１８０に従って、コンテンツ再生装置５００Ａ内の各部に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）およびその他の演算機能を有する回路のいずれであってもよい。
【００３５】
なお、制御部５１０は、録画処理部５１０Ａ、再生処理部５１０Ｂ、メタ情報記述部５１０Ｃおよび検索部５１０Ｄとして動作する。録画処理部５１０Ａは、録画処理を行なう機能を有する。録画処理では、受信した放送信号に基づくデータを、記憶部５２０に記憶させる処理である。
【００３６】
再生処理部５１０Ｂは、録画処理により、記憶部５２０に録画されたデータを再生する機能を有する。メタ情報記述部５１０Ｃは、録画処理時に、録画するデータのメタ情報を、メタ情報ファイルに記述する機能を有する。検索部５１０Ｄは、後述する検索処理を行なう機能を有する。
【００３７】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００３８】
コンテンツ再生装置５００Ａは、さらに、アンテナ５０２と、チューナ５０５と、データ処理部５０７とを備える。
【００３９】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００４０】
放送信号は、画像データ、音声データを含む。なお、放送信号が、ディジタル放送に基づく信号である場合、放送信号は、さらに、テキストデータ、ＥＰＧ（Electric Program Guide）データ、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００４１】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データおよび音声データにする。そして、データ処理部５０７は、制御部５１０から、録画処理を行なうための録画指示を受信すると、画像データおよび音声データを、圧縮して、録画データとして、記憶部５２０に記憶させる。この場合の録画データを、以下においては、コンテンツともいう。録画データは、ＭＰＥＧ（Moving Picture Experts Group）２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【００４２】
また、受信した放送信号が、ディジタル放送に基づく信号である場合、データ処理部５０７は、以下の処理を行なう。まず、データ処理部５０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【００４３】
そして、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００４４】
なお、記憶部５２０に記憶される、コンテンツとしての録画データは、ネットワークに接続された複数の装置間で共有されるデータ（以下、共有データともいう）である。録画データは、コンテンツであるので、共有データは、ネットワークにおいて共有される共有コンテンツでもある。したがって、コンテンツ再生装置５００Ｂ，５００Ｃの各々は、記憶部５２０に記憶される録画データにデータアクセス可能である。共有データは、記憶部５２０に設定された共有ドライブ内に記憶されているデータである。ここで、共有ドライブとは、他の装置がデータアクセス可能なドライブである。なお、共有データは、記憶部５２０に設定された共有ドライブに限定されることなく、記憶部５２０に設定されたドライブ内の共有フォルダに記憶されているデータであってもよい。ここで、共有フォルダとは、他の装置がデータアクセス可能な共有フォルダである。
【００４５】
また、データ処理部５０７は、ＥＰＧデータに基づいて、以下の番組情報データテーブルＴ１００を生成する。番組情報データテーブルＴ１００は、複数の番組情報をそれぞれ示す複数の番組情報データから構成される。そして、データ処理部５０７は、番組情報データテーブルＴ１００を、記憶部５２０に記憶させる。なお、番組情報データテーブルＴ１００は、ＥＰＧデータに限定されることなく、番組情報を示すデータであれば他のデータに基づいて生成されてもよい。
【００４６】
図３は、一例としての番組情報データテーブルＴ１００を示す図である。図３を参照して、番組情報データテーブルＴ１００は、複数の番組情報データから構成される。番組情報データテーブルＴ１００において、「管理番号」とは、複数の番組情報データの各々を管理するための番号である。番組情報データテーブルＴ１００において、「チャンネル番号」とは、放送局に割り当てられているチャンネル番号である。「タイトル」とは、対応する番組のタイトルを示す。「放送時刻」とは、対応する番組の放送開始時刻および放送終了時刻を示す。
「ジャンル」とは、対応する番組のジャンルを示す。「出演者」とは、対応する番組の主な出演者である。「番組内容」とは、対応する番組の簡単な内容を示す。
【００４７】
再び、図２を参照して、コンテンツ再生装置５００Ａは、さらに、ＶＤＰ（Video Display Processor）５３２と、ＣＧＲＯＭ（Character Graphic Read Only Memory）５３４と、ＶＲＡＭ（Video Random Access Memory）５３６とを備える。
【００４８】
ＣＧＲＯＭ５３４には、フォントデータ、図形データ等が記憶されている。ＶＲＡＭ５３６は、画像データを一時的に記憶する機能を有する。
【００４９】
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００５０】
ＶＤＰ５３２は表示部５３０と接続されている。ＶＤＰ５３２は、制御部５１０からの描画指示に応じて、ＣＧＲＯＭ５３４から必要なデータを読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００５１】
コンテンツ再生装置５００Ａは、さらに、入力部５４０と、記録媒体アクセス部５５０とを備える。
【００５２】
入力部５４０には、マウス５４２と、キーボード５４４とが接続されている。ユーザは、マウス５４２またはキーボード５４４を利用して、コンテンツ再生装置５００Ａに指示を与える。マウス５４２またはキーボード５４４からの入力指示は、入力部５４０を介して制御部５１０へ送信される。制御部５１０は、入力部５４０からの入力指示に基づいて所定の処理を行なう。
【００５３】
記録媒体アクセス部５５０は、プログラム１８０が記録された記録媒体５５５から、プログラム１８０を読出す機能を有する。記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００５４】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。
【００５５】
記録媒体５５５は、ＢＤ（Blu-ray Disc）、ＨＤ−ＤＶＤ（High-Definition Digital Versatile Disc）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよびＵＳＢメモリ、磁気テープおよび上記以外の不揮発性メモリのいずれであってもよい。
【００５６】
コンテンツ再生装置５００Ａは、さらに、通信部５６０と、通信部５６２とを備える。
通信部５６０は、制御部５１０とデータの送受信を行なう。また、通信部５６０は、図示しない他の端末と有線または無線で、データの送受信を行なう機能を有する。
【００５７】
通信部５６０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ（Universal Serial Bus）１．１またはＵＳＢ２．０に限定されることなく他の規格であってもよい。
【００５８】
なお、通信部５６０は、パラレル転送を行なう通信用インターフェースの機能を有していてもよい。パラレル転送を行なう通信用インターフェースは、たとえば、セントロニクス準拠の規格またはＩＥＥＥ１２８４（Institute of Electrical and Electronic Engineers 1284）の規格に準拠したインターフェースである。また、通信部５６０は、ＩＥＥＥ１３９４またはＳＣＳＩ規格に基づく通信用インターフェースの機能を有していてもよい。
【００５９】
また、通信部５６０は、さらに、無線データ通信機能を有する。無線データ通信機能は、ブルートゥース（Bluetooth）を使用して、無線でデータ通信を行なう機能を有する。なお、無線データ通信は、ブルートゥースを使用した方式に限定されることなく、たとえば、赤外線等を使用した他の通信方式であってもよい。通信部５６０は、制御部５１０からの制御指示に応じて、他の端末と無線でデータ通信を行なう。
【００６０】
通信部５６２は、制御部５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができる。
【００６１】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００６２】
したがって、本実施の形態におけるコンテンツ再生装置５００Ａは、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【００６３】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００６４】
コンテンツ再生装置５００Ａは、さらに、リモコン信号受信部５８０を備える。リモコン信号受信部５８０は、リモコン（リモートコントローラー）３００から出力される、コンテンツ再生装置５００Ａを操作するためのリモコン信号を受信する機能を有する。リモコン信号受信部５８０は、受信したリモコン信号を制御部５１０へ送信する。制御部５１０は、受信したリモコン信号に応じて、後述する処理を行なう。以下においては、ユーザによる、リモコン３００の操作も、インターフェース操作Ｐともいう。なお、コンテンツ再生装置５００Ａは、リモコン信号受信部５８０を備えなくてもよい。
【００６５】
再び、図１を参照して、コンテンツ再生装置５００Ｂ，５００Ｃの各々も、コンテンツ再生装置５００Ａと同様な構成および機能を有するので詳細な説明は繰り返さない。したがって、コンテンツ再生装置５００Ａ，５００Ｂ，５００Ｃの各々の記憶部５２０に記憶される、共有データとしての録画データは、コンテンツ再生装置５００Ａ，５００Ｂ，５００Ｃの各々がデータアクセス可能なデータである。
【００６６】
図４は、本実施の形態におけるコンテンツサーバ６００の内部の構成を示すブロック図である。なお、図４には、説明のために、記録媒体５５５Ｍも示している。記録媒体５５５Ｍには、後述するプログラム１８０Ｍが記録されている。すなわち、プログラム１８０Ｍは、媒体等に記録されてプログラム製品として流通される。また、記録媒体５５５Ｍもプログラム製品として流通される。
【００６７】
図４を参照して、コンテンツサーバ６００には、表示部６３０と、マウス６４２と、キーボード６４４とが接続される。表示部６３０は、前述の表示部５３０と同様な表示装置である。
【００６８】
マウス６４２は、ユーザがコンテンツサーバ６００を操作するためのインターフェースである。キーボード６４４は、ユーザがコンテンツサーバ６００を操作するためのインターフェースである。なお、表示部６３０およびキーボード６４４は、コンテンツサーバ６００の内部に設けられる構成であってもよい。また、マウス６４２は、たとえば、タッチパッド等として、コンテンツサーバ６００の内部に設けられる構成であってもよい。また、コンテンツサーバ６００には、ペンタブレットが入力機器として接続されていてもよい。以下においては、ユーザによる、マウス６４２またはキーボード６４４の操作を、インターフェース操作Ｓともいう。
【００６９】
コンテンツサーバ６００は、制御部６１０と、一時記憶部６２２と、記憶部６２０とを備える。
【００７０】
記憶部６２０は、前述の記憶部５２０と同様なものであるので詳細な説明は繰り返さない。記憶部６２０は、制御部６１０によってデータアクセスされる。記憶部６２０には、プログラム１８０Ｍ、録画データ、番組情報データテーブル、後述する認証情報および課金情報、設定データ、その他の各種データ等が記憶されている。
【００７１】
制御部６１０は、記憶部６２０に記憶されたプログラム１８０Ｍに従って、コンテンツサーバ６００内の各部に対する各種処理や、演算処理等を行なう機能を有する。制御部６１０は、前述の制御部５１０と同様なものであるので詳細な説明は繰り返さない。
【００７２】
なお、制御部６１０は、録画処理部６１０Ａとして動作する。録画処理部６１０Ａは、録画処理を行なう機能を有する。録画処理では、受信した放送信号に基づくデータを、記憶部６２０に記憶させる処理である。
【００７３】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【００７４】
コンテンツサーバ６００は、さらに、アンテナ６０２と、チューナ６０５と、データ処理部６０７とを備える。
【００７５】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【００７６】
放送信号は、画像データ、音声データを含む。なお、放送信号が、ディジタル放送に基づく信号である場合、放送信号は、さらに、テキストデータ、ＥＰＧデータ、前述したＢＭＬデータ等が含まれる。チューナ６０５は、受信した放送信号を、データ処理部６０７へ送信する。
【００７７】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データにする。そして、データ処理部６０７は、制御部６１０から、録画処理を行なうための録画指示を受信すると、画像データおよび音声データを、圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【００７８】
また、受信した放送信号が、ディジタル放送に基づく信号である場合、データ処理部６０７は、以下の処理を行なう。まず、データ処理部６０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【００７９】
そして、データ処理部６０７は、制御部６１０から、録画処理を行なうための録画指示を受信すると、録画指示により指定されたチャンネルのデコードデータを、録画データとして、記憶部６２０に記憶させる。この場合、録画データには、画像データ、音声データ、テキストデータおよびＢＭＬデータが含まれる。また、データ処理部６０７は、データ処理部５０７と同様に、ＥＰＧデータに基づいて、番組情報データテーブルを生成する。そして、データ処理部６０７は、番組情報データテーブルを、記憶部６２０に記憶させる。
【００８０】
制御部６１０は、現在の日時から、所定期間（たとえば、１週間）前までの日時までの期間における、全てのチャンネルの全ての番組を録画するための録画処理を行なうための録画指示を、データ処理部６０７へ送信する。データ処理部６０７は、現在の日時から、所定期間前までの日時までの期間における、全てのチャンネルの全ての番組の録画データを、記憶部６２０に記憶させる。なお、制御部６１０は、現在の日時から、所定期間経過後の録画データは削除する。
【００８１】
したがって、記憶部６２０には、現在の日時から、所定期間前までの日時までの期間における、全てのチャンネルの全ての番組の録画データが記憶されている。なお、記憶部６２０に記憶されている全ての録画データの各々の番組情報は、番組情報データテーブルで管理される。
【００８２】
コンテンツサーバ６００は、さらに、ＶＤＰ６３２と、ＣＧＲＯＭ６３４と、ＶＲＡＭ６３６とを備える。
【００８３】
ＣＧＲＯＭ６３４には、ＣＧＲＯＭ５３４と同様、フォントデータ、図形データ等が記憶されている。ＶＲＡＭ６３６は、画像データを一時的に記憶する機能を有する。
【００８４】
制御部６１０は、記憶部６２０に記憶されたプログラム１８０Ｍに従って、ＶＤＰ６３２に対し、描画指示を出す。描画指示とは、画像を生成し、当該画像を表示部６３０に表示させる指示である。
【００８５】
ＶＤＰ６３２は表示部６３０と接続されている。ＶＤＰ６３２は、制御部６１０からの描画指示に応じて、ＣＧＲＯＭ６３４から必要なデータを読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【００８６】
コンテンツサーバ６００は、さらに、入力部６４０と、記録媒体アクセス部６５０とを備える。
【００８７】
入力部６４０には、マウス６４２と、キーボード６４４とが接続されている。ユーザは、マウス６４２またはキーボード６４４を利用して、コンテンツサーバ６００に指示を与える。マウス６４２またはキーボード６４４からの入力指示は、入力部６４０を介して制御部６１０へ送信される。制御部６１０は、入力部６４０からの入力指示に基づいて所定の処理を行なう。
【００８８】
記録媒体アクセス部６５０は、プログラム１８０Ｍが記録された記録媒体５５５Ｍから、プログラム１８０Ｍを読出す機能を有する。記録媒体５５５Ｍに記憶されているプログラム１８０Ｍは、制御部６１０のインストール処理により、記録媒体アクセス部６５０により読み出され、制御部６１０が、プログラム１８０Ｍを、記憶部６２０に記憶させる。このインストール処理用プログラムは、予め、記憶部６２０に格納されており、インストール処理は、制御部６１０が、インストール処理用プログラムに基づいて行なう。
【００８９】
なお、記憶部６２０には、プログラム１８０Ｍがインストールされていなくてもよい。この場合、制御部６１０は、記録媒体アクセス部６５０を介して、記録媒体５５５Ｍに記憶されたプログラム１８０Ｍを読み出して、プログラム１８０Ｍに基づいた所定の処理を行なう。
【００９０】
記録媒体５５５Ｍは、記録媒体５５５と同様な媒体なので詳細な説明は繰り返さない。
コンテンツサーバ６００は、さらに、通信部６６０と、通信部６６２とを備える。
【００９１】
通信部６６０は、制御部６１０とデータの送受信を行なう。また、通信部６６０は、前述の通信部５６０と同様な構成および機能を有するので詳細な説明は繰り返さない。
【００９２】
通信部６６２は、制御部６１０と、データの送受信を行なう。通信部６６２は、前述の通信部５６２と同様な構成および機能を有するので詳細な説明は繰り返さない。したがって、通信部６６２は、無線により、ネットワーク７０とデータ通信を行なうことができる。また、通信部６６２は、たとえば、ＬＡＮケーブルを介して、ネットワーク７０とデータ通信を行なうことができる。
【００９３】
したがって、本実施の形態におけるコンテンツサーバ６００は、ネットワーク７０から、通信部６６２を介して、プログラムのダウンロード処理を行ない、記憶部６２０に格納することもできる。この場合、当該ダウンロードしたプログラムは、プログラム１８０Ｍである。
【００９４】
制御部６１０は、ネットワーク７０からダウンロードしたプログラム（プログラム１８０Ｍ）に従って、所定の処理を行なう。このダウンロード用プログラムは、予め、記憶部６２０に格納されており、ダウンロード処理は、制御部６１０が、ダウンロード用プログラムに基づいて行なう。
【００９５】
ここで、前述したメタ情報ファイルは、コンテンツ再生装置５００Ａ，５００Ｂ，５００Ｃの各々において、記憶部５２０に設定された、共有ドライブまたは共有フォルダ内に記憶される。したがって、コンテンツ再生装置５００Ａ，５００Ｂ，５００Ｃの各々は、他の装置のメタ情報ファイルにデータアクセス可能である。
【００９６】
また、前述したメタ情報ファイルが記憶部５２０に記憶される領域は、コンテンツ再生装置５００Ａ，５００Ｂ，５００Ｃの各々毎に、ユーザが任意に設定できるとする。なお、コンテンツ再生装置５００Ａ，５００Ｂ，５００Ｃの各々において、メタ情報ファイルが記憶部５２０に記憶される領域の設定は、インターフェース操作Ｐにより、予め行なわれているとする。ここで、メタ情報ファイルは、テキストファイルである。なお、初期状態では、メタ情報ファイルには、情報が記述されていない。
【００９７】
コンテンツ再生装置５００Ａ，５００Ｂ，５００Ｃの各々は、コンテンツ再生装置５００Ａ，５００Ｂ，５００Ｃのうち、自装置以外の他の装置がメタ情報ファイルを記憶している領域を特定するためのパス名の情報を取得するための処理（以下、メタ情報ファイルパス名取得処理ともいう）を行なう。なお、前述したメタ情報ファイルが記憶部５２０に記憶される領域は、コンテンツ再生装置５００Ａ，５００Ｂ，５００Ｃの各々毎に、予め定められた領域であってもよい。ここでは、一例として、コンテンツ再生装置５００Ａが行なうメタ情報ファイルパス名取得処理について説明する。メタ情報ファイルパス名取得処理は、インターフェース操作Ｐにより、制御部５１０がプログラム１８０のファイルパス名取得プログラムを実行することで行なわれる処理である。
【００９８】
図５は、メタ情報ファイルパス名取得処理のフローチャートである。図５を参照して、ステップＳ２０では、パス名取得処理が行なわれる。パス名取得処理では、制御部５１０が、コンテンツ再生装置５００Ａ，５００Ｂ，５００Ｃのうち、自装置以外の他のコンテンツ再生装置（コンテンツ再生装置５００Ｂ，５００Ｃ）へ、通信部５０を介して、パス名取得要求を送信する。ここで、パス名取得要求とは、他のコンテンツ再生装置の記憶部５２０に記憶されているメタ情報ファイルのパス名を取得するための要求である。以下においては、パス名取得要求を送信するコンテンツ再生装置を、パス名要求装置ともいう。また、パス名取得要求を受信するコンテンツ再生装置を、パス名要求受信装置ともいう。
【００９９】
パス名要求受信装置（たとえば、コンテンツ再生装置５００Ｂ）は、パス名取得要求を受信すると、パス名要求受信装置の記憶部５２０に記憶されているメタ情報ファイルのパス名の情報を、パス名要求装置（コンテンツ再生装置５００Ａ）へ送信する。以上の処理により、パス名要求装置の制御部５１０は、ホームネットワーク５０１内の全てのコンテンツ再生装置が記憶しているメタ情報ファイルのパス名の情報を取得する。その後、ステップＳ２２に進む。
【０１００】
ステップＳ２２では、制御部５１０が、以下のメタ情報パス名テーブルを生成し、記憶５２０に記憶させる。
【０１０１】
図６は、一例としてのメタ情報パス名テーブルＴ２０を示す図である。図６を参照して、メタ情報パス名テーブルＴ２０において、「番号」とは、コンテンツ再生装置５００Ａ，５００Ｂ，５００Ｃの各々のパス名を管理するための番号である。「端末名」とは、コンテンツ再生装置５００Ａ，５００Ｂ，５００Ｃの各々の端末名である。前述したように、コンテンツ再生装置５００Ａ、コンテンツ再生装置５００Ｂおよびコンテンツ再生装置５００Ｃの端末名は、それぞれ、ＰＣ５００Ａ、ＰＣ５００ＢおよびＰＣ５００Ｃである。「パス名」とは、対応するコンテンツ再生装置の記憶部５２０に記憶されているメタ情報ファイルのパス名である。
【０１０２】
再び、図５を参照して、ステップＳ２２の処理が終了すると、このメタ情報ファイルパス名取得処理は終了する。
【０１０３】
なお、コンテンツ再生装置５００Ｂ，５００Ｃの各々も、コンテンツ再生装置５００Ａと同様に、メタ情報ファイルパス名取得処理を行なう。したがって、コンテンツ再生装置５００Ａ，５００Ｂ，５００Ｃの各々の記憶部５２０には、メタ情報パス名テーブルが記憶されることになる。その結果、コンテンツ再生装置５００Ａ，５００Ｂ，５００Ｃの各々は、記憶部５２０に記憶されているメタ情報パス名テーブルに基づいて、他の装置のメタ情報ファイルにデータアクセスが可能となる。なお、コンテンツ再生装置５００Ａ，５００Ｂ，５００Ｃの各々の記憶部５２０には、メタ情報パス名テーブルが予め記憶されていてもよい。この場合、コンテンツ再生装置５００Ａ，５００Ｂ，５００Ｃの各々は、上記メタ情報ファイルパス名取得処理を行なわない。
【０１０４】
次に、コンテンツ再生装置５００Ａが行なう処理（以下、コンテンツ取扱い処理ともいう）について説明する。コンテンツ取扱い処理は、インターフェース操作Ｐにより、制御部５１０がプログラム１８０のコンテンツ取扱いプログラムを実行することで行なわれる処理である。
【０１０５】
図７は、コンテンツ取扱い処理のフローチャートである。図７を参照して、ステップＳ１１０では、メニュー画像表示処理が行なわれる。メニュー画像表示処理では、制御部５１０が、ＶＤＰ５３２に、以下のメニュー画像Ｇ１００を生成させるための描画指示を出す。ＶＤＰ５３２は、描画指示に基づいて、メニュー画像Ｇ１００を生成する。
【０１０６】
図８は、一例としてのメニュー画像Ｇ１００を示す図である。図８を参照して、メニュー画像Ｇ１００には、ボタン画像ＢＧ１１０と、ボタン画像ＢＧ１２０と、ボタン画像ＢＧ１３０とが配置される。ボタン画像ＢＧ１１０、ボタン画像ＢＧ１２０およびボタン画像ＢＧ１３０の各々は、インターフェース操作Ｐにより、押下処理されることで、対応する後述の処理を行なうためのボタン画像である。ボタン画像ＢＧ１１０は、一例として、背景を黒で表示し、文字列を白く表示することにより、選択されている状態を示している。なお、インターフェース操作Ｐにより、選択状態のボタン画像を変えることができる。
【０１０７】
ボタン画像ＢＧ１１０は、インターフェース操作Ｐにより、後述する、録画設定を行なうための画像である。ボタン画像ＢＧ１２０は、インターフェース操作Ｐにより、後述する、再生メニュー画像を表示させるためのボタン画像である。ボタン画像ＢＧ１３０は、インターフェース操作Ｐにより、後述する、リスト再生処理を行なうためのボタン画像である。
【０１０８】
再び、図７を参照して、ＶＤＰ５３２は、メニュー画像Ｇ１００を生成すると、表示部５３０に、メニュー画像Ｇ１００を表示させる。その後、ステップＳ１２０に進む。
【０１０９】
ステップＳ１２０では、制御部５１０が、録画設定操作があるか否かを判定する。録画設定操作とは、インターフェース操作Ｐにより、ボタン画像ＢＧ１１０が選択状態にされ、かつ、押下処理される操作である。ステップＳ１２０において、ＹＥＳならば、ステップＳ１３０に進む。一方、ステップＳ１２０において、ＮＯならば、後述するステップＳ１４０に進む。
【０１１０】
ステップＳ１３０では、録画設定処理が行なわれる。
図９は、録画設定処理のフローチャートである。図９を参照して、ステップＳ１３１では、録画予約画像表示処理が行なわれる。録画予約画像表示処理では、制御部５１０が、記憶部５２０に記憶されている番組情報データテーブルＴ１００に基づいて、ＶＤＰ５３２に、以下の録画予約画像Ｇ２００を生成させるための描画指示を出す。ＶＤＰ５３２は、描画指示に基づいて、録画予約画像Ｇ２００を生成する。
【０１１１】
図１０は、一例としての録画予約画像Ｇ２００を示す図である。図１０を参照して、録画予約画像Ｇ２００には、番組表画像Ｇ２１０と、詳細情報画像Ｇ２２０と、ボタン画像Ｇ２３２と、ボタン画像Ｇ２３４とが配置される。
【０１１２】
番組表画像Ｇ２１０は、番組情報データテーブルＴ１００に基づく番組情報を表示する画像である。番組表画像Ｇ２１０において、「ＣＨ」の列の番号は、チャンネル番号である。番組表画像Ｇ２１０において、１９時，２０時，２１時は、時刻を示す。番組表画像Ｇ２１０内において、チャンネル番号および時刻以外の文字列は、番組のタイトルを示す。番組のタイトルは、インターフェース操作Ｐにより、選択状態になる。選択状態のタイトルは、一例として、背景が黒で、文字列が白く表示される。番組表画像Ｇ２１０では、一例として、タイトルが「Ａスポーツ」という番組が選択状態である。
【０１１３】
詳細情報画像Ｇ２２０は、番組表画像Ｇ２１０において、選択状態の番組に関する詳細な情報を表示する画像である。詳細情報画像Ｇ２２０には、一例として、「Ａスポーツ」という番組を放送している放送局に割り当てられているチャンネル番号、「Ａスポーツ」という番組名、番組の放送時間、出演者、番組内容等が表示される。
【０１１４】
ボタン画像Ｇ２３２は、インターフェース操作Ｐにより、選択状態の番組を録画予約するためのボタン画像である。ボタン画像Ｇ２３４は、インターフェース操作Ｐにより、録画予約を終了するためのボタン画像である。
【０１１５】
再び、図９を参照して、ＶＤＰ５３２は、録画予約画像Ｇ２００を生成すると、表示部５３０に、録画予約画像Ｇ２００を表示させる。その後、ステップＳ１３２に進む。
【０１１６】
ステップＳ１３２では、制御部５１０が、録画予約操作があるか否かを判定する。録画予約操作とは、インターフェース操作Ｐにより、番組表画像Ｇ２１０において、番組のタイトルが選択状態であるときに、ボタン画像Ｇ２３２が押下処理される操作である。ステップＳ１３２において、ＹＥＳならば、ステップＳ１３３に進む。一方、ステップＳ１３２において、ＮＯならば、後述するステップＳ１３５に進む。
【０１１７】
ステップＳ１３３では、録画予約処理が行なわれる。録画予約処理では、制御部５１０が、選択された番組の録画予約を行なうために、以下の録画予約データＲＤを、記憶部５２０に記憶させる。
【０１１８】
図１１は、一例としての録画予約データＲＤを示す図である。図１１を参照して、録画予約データＲＤには、録画開始予定日時および録画終了予定日時の情報と、図３の番組情報データテーブルＴ１００において、選択された番組に対応する番組情報データに基づく情報とが含まれる。録画開始予定日時は、番組情報データテーブルＴ１００において、選択された番組に対応する番組情報データの放送開始時刻である。録画終了予定日時は、番組情報データテーブルＴ１００において、選択された番組に対応する番組情報データの放送終了時刻である。番組情報データには、チャンネル番号、タイトル、ジャンル、出演者および番組内容の情報が含まれる。
【０１１９】
再び、図９を参照して、ステップＳ１３３の処理が終了すると、この録画設定処理は終了し、図７のコンテンツ取扱い処理に戻り、再度、ステップＳ１１０の処理が行なわれる。
【０１２０】
前述のステップＳ１３２において、ＮＯならば、ステップＳ１３５に進む。
ステップＳ１３５では、制御部５１０が、録画予約終了操作があるか否かを判定する。録画予約終了操作とは、インターフェース操作Ｐにより、ボタン画像Ｇ２３４が押下処理される操作である。ステップＳ１３５において、ＹＥＳならば、この録画設定処理は終了し、図７のコンテンツ取扱い処理に戻り、再度、ステップＳ１１０の処理が行なわれる。一方、ステップＳ１３５において、ＮＯならば、再度、ステップＳ１３２の処理が行なわれる。
【０１２１】
なお、この録画設定処理では、番組表を用いて、録画予約を行なう処理を説明したが、ユーザが、手動で録画予約を行なってもよい。この場合、ステップＳ１３１において、表示部５３０には、録画予約画像Ｇ２００の代わりに、以下の録画予約画像Ｇ２００Ａが表示される。
【０１２２】
図１２は、一例としての録画予約画像Ｇ２００Ａを示す図である。図１２を参照して、録画予約画像Ｇ２００Ａには、録画予約データ入力画像Ｇ２１０Ａが配置される。編集枠ＥＲ１００は、インターフェース操作Ｐにより、録画予約データ入力画像Ｇ２１０Ａ内において、上、下、左および右のいずれかに移動させることが可能である。録画予約データ入力画像Ｇ２１０Ａは、インターフェース操作Ｐにより、編集枠ＥＲ１００が配置された位置に録画予約データを入力可能な画像である。なお、入力可能な録画予約データは、たとえば、チャンネル番号、録画開始予定日時および録画終了予定日時の情報である。
【０１２３】
録画予約データ入力画像Ｇ２１０Ａには、さらに、ボタン画像ＢＧ２７２，ＢＧ２７４，ＢＧ２８２，ＢＧ２８４と、ボタン画像ＢＧ２４０Ａとが配置される。
【０１２４】
ボタン画像ＢＧ２７２は、インターフェース操作Ｐで押下処理されることにより、録画予約データ入力画像Ｇ２１０Ａに表示される情報を、下にスクロール表示させるためのボタン画像である。ボタン画像ＢＧ２７４は、インターフェース操作Ｐで押下処理されることにより、録画予約データ入力画像Ｇ２１０Ａに表示される情報を、上にスクロール表示させるためのボタン画像である。ボタン画像ＢＧ２８２は、インターフェース操作Ｐで押下処理されることにより、録画予約データ入力画像Ｇ２１０Ａに表示される情報を、右にスクロール表示させるためのボタン画像である。ボタン画像ＢＧ２８４は、インターフェース操作Ｐで押下処理されることにより、録画予約データ入力画像Ｇ２１０Ａに表示される情報を、左にスクロール表示させるためのボタン画像である。
【０１２５】
ボタン画像ＢＧ２４０Ａは、インターフェース操作Ｐで押下処理されることにより、表示部５３０から、録画予約画像Ｇ２００Ａを消去して、メニュー画像Ｇ１００を表示させるためのボタン画像である。
【０１２６】
次に、コンテンツ再生装置５００Ａが、記憶部５２０に記憶された録画予約データに基づいて行なう録画実行処理について説明する。録画実行処理は、記憶部５２０に録画予約データが１つ以上記憶された後、自動的に行なわれる処理である。なお、録画実行処理は、他の処理とは独立して行なわれる。なお、制御部５１０は、コンテンツ再生装置５００Ａの電源がオンされた後、現在の日時を管理する日時管理処理を、他の処理とは独立して自動的に行なう。したがって、日時管理処理により管理されている現在の日時の情報は、時間の経過と共に変化する。
【０１２７】
図１３は、録画実行処理のフローチャートである。図１３を参照して、ステップＳ２１０では、日時管理処理により管理されている現在の日時が、録画予約データが示す録画開始予定日時であるか否かが判定される。具体的には、制御部５１０は、記憶部５２０に記憶されている全ての録画予約データのうち、現在の日時と一致する録画開始予定日時の録画予約データがあるか否かを判定する。以下においては、現在の日時と一致する録画開始予定日時の録画予約データを、一致録画予約データともいう。ステップ２１０において、ＹＥＳならば、ステップＳ２２０に進む。一方、ステップＳ２１０において、ＮＯならば、再度、ステップＳ２１０の処理が行なわれる。
【０１２８】
ステップＳ２２０では、録画処理が開始される。録画処理は、録画実行処理および他の処理とは、独立して行なわれる処理である。前述したように録画処理は、受信した放送信号に基づくデータを、記憶部５２０に記憶させる処理である。具体的には、制御部５１０が、一致録画予約データが示すチャンネルのデータを、記憶部５２０に記憶させるための録画指示を、データ処理部５０７に出す。データ処理部５０７は、録画指示を受信すると、録画指示により指定されたチャンネルのデータを、録画データとして、記憶部５２０に記憶させる処理を開始する。その後、ステップＳ２２２に進む。
【０１２９】
ステップＳ２２２では、制御部５１０が、録画停止操作があるか否かを判定する。ここで、録画停止操作とは、インターフェース操作Ｐによる、録画処理を強制的に停止させるための操作である。ステップＳ２２２において、ＹＥＳならば、後述するステップＳ２２９に進む。一方、ステップＳ２２２において、ＮＯならば、ステップＳ２２４に進む。
【０１３０】
ステップＳ２２４では、日時管理処理により管理されている現在の日時が、一致録画予約データが示す録画終了予定日時であるか否かが判定される。具体的には、制御部５１０は、現在の日時が、一致録画予約データが示す録画終了予定日時であるか否かを判定する。ステップＳ２２４において、ＹＥＳならば、ステップＳ２２９に進む。一方、ステップＳ２２４において、ＮＯならば、再度、ステップＳ２２２の処理が行なわれる。
【０１３１】
ステップＳ２２９では、制御部５１０が、録画処理を停止させる。これにより、録画データが記憶部５２０に記憶される処理が終了する。すなわち、停止した録画処理により、記憶部５２０には、最新の録画データ（以下、最新録画データともいう）が記憶される。
その後、ステップＳ２３０に進む。
【０１３２】
ステップＳ２３０では、メタ情報記述処理が行なわれる。メタ情報記述処理では、制御部５１０が、一致録画予約データおよび録画処理により記憶部５２０に記憶された最新録画データに基づいて、一致録画予約データのメタ情報を収集し、収集したメタ情報をメタ情報ファイルに記述する。
【０１３３】
図１４は、一例として、メタ情報ファイルに記述されるメタ情報を示す図である。図１４は、一例として、メタ情報ファイルに記述された１つのメタ情報を示す。図１４を参照して、「管理番号」は、メタ情報を管理するための番号である。「ファイル名」は、対応する録画データ（動画データ）のファイル名を示す。「パス名」は、対応する録画データのパス名である。「ファイルサイズ」は、対応する録画データのファイルサイズを示す。「ファイル作成日時」は、ステップＳ２２９の処理により、録画処理が停止した日時となる。
【０１３４】
「ファイル更新日時」は、対応する録画データの更新があった日時である。なお、初めて記憶部５２０に録画データが記憶された場合は、「ファイル更新日時」はメタ情報ファイルには記述されない。「アクセス日時」とは、制御部５１０が、対応する録画データに、アクセスした最終日時である。「再生時間」とは、対応する録画データの再生可能な時間である。「ビットレート」とは、対応する録画データにおける、音声データおよび動画像データを含めたビットレートである。以上説明した、「ファイル名」、「ファイルサイズ」、「ファイル作成日時」、「ファイル更新日時」、「アクセス日時」、「再生時間」および「ビットレート」は、対応する録画データのファイル情報である。
【０１３５】
図１４において、「録画開始予定日時」、「録画終了予定日時」、「チャンネル番号」、「タイトル」、「ジャンル」、「出演者」および「番組内容」の情報は、一致録画予約データに含まれる情報である。なお、「録画終了日時」は、ステップＳ２２９の処理により、録画処理が停止した日時となる。したがって、録画停止操作があった場合、メタ情報ファイルに記述される「録画終了日時」は、一致録画予約データに含まれる「録画終了予定日時」とは一致せず、録画停止操作があった日時となる。
【０１３６】
なお、図１３の録画実行処理は、記憶部５２０に録画予約データが１つ以上記憶された後、自動的に行なわれるだけでなく、録画開始操作があったときにも行なわれる。ここで、録画開始操作とは、インターフェース操作Ｐによる、録画実行処理を開始させるための操作である。この場合、録画実行処理において、ステップＳ２１０の処理は行なわれず、ステップＳ２２０の処理から開始される。また、この場合、メタ情報ファイルに記述される「録画開始日時」は、一致録画予約データに含まれる「録画開始予定日時」とは一致せず、録画開始操作が行なわれた日時となる。
【０１３７】
なお、記憶部５２０に記憶されている、複数種類の録画予約データの各々に対して、録画実行処理のステップＳ２１０〜ステップＳ２３０の処理が行なわれることにより、メタ情報ファイルに記述されるメタ情報は、以下のように、複数になる。
【０１３８】
図１５は、一例として、メタ情報ファイルに記述される複数のメタ情報を示す図である。なお、最新のメタ情報は、常に、管理番号が“００１”となる。また、既にメタ情報ファイルに記述されているメタ情報は、メタ情報ファイルに最新のメタ情報が記述される毎に、管理番号が１インクリメントされる。なお、既にメタ情報ファイルに記述されているメタ情報の管理番号は、メタ情報ファイルに最新のメタ情報が追加されても変化しないようにしてもよい。この場合、最新のメタ情報の管理番号は、既にメタ情報ファイルに記述されているメタ情報の最も大きい管理番号の次の番号となる。
【０１３９】
再び、図１３を参照して、ステップＳ２３０の処理が終了すると、ステップＳ２４０に進む。
【０１４０】
ステップＳ２４０では、メタ情報表示処理が行なわれる。メタ情報表示処理では、ステップＳ２３０の処理により、メタ情報ファイルに記述された最新のメタ情報が表示される。具体的には、制御部５１０が、最新のメタ情報に基づいて、ＶＤＰ５３２を利用して、以下の最新メタ情報表示画像ＷＧ１００を生成するための処理を行なう。
【０１４１】
図１６は、一例としての最新メタ情報表示画像ＷＧ１００を示す図である。図１６を参照して、最新メタ情報表示画像ＷＧ１００には、メタ情報表示画像ＷＧ１１０と、ボタン画像ＷＢＧ１２２，ＷＢＧ１２４，ＷＢＧ１９２，ＷＢＧ１９４とが配置される。
【０１４２】
メタ情報表示画像ＷＧ１１０は、最新録画データのメタ情報の一部が表示される。メタ情報表示画像ＷＧ１１０において、「管理番号」とは、メタ情報を管理する番号である。ボタン画像ＷＢＧ１２２は、インターフェース操作Ｐで押下処理されることにより、メタ情報表示画像ＷＧ１１０に表示されるメタ情報を、下にスクロール表示させるためのボタン画像である。ボタン画像ＷＢＧ１２４は、インターフェース操作Ｐで押下処理されることにより、メタ情報表示画像ＷＧ１１０に表示されるメタ情報を、上にスクロール表示させるためのボタン画像である。
【０１４３】
ボタン画像ＷＢＧ１９２は、インターフェース操作Ｐで押下処理されることにより、ボタン画像ＷＢＧ１９２に表示されているメタ情報を編集するためのボタン画像である。ボタン画像ＷＢＧ１９４は、インターフェース操作Ｐで押下処理されることにより、最新メタ情報表示画像ＷＧ１００を、表示部５３０から消去するためのボタン画像である。
【０１４４】
再び、図１３を参照して、制御部５１０は、生成された最新メタ情報表示画像ＷＧ１００を、ＶＤＰ５３２を利用して、表示部５３０に表示させる。その後、ステップＳ２５０に進む。
【０１４５】
ステップＳ２５０では、制御部５１０が、編集許可操作があるか否かを判定する。ここで、編集許可操作とは、表示部５３０に表示されたメタ情報を編集することを許可するための操作である。具体的には、編集許可操作は、表示部５３０に最新メタ情報表示画像ＷＧ１００が表示された状態で、インターフェース操作Ｐにより、ボタン画像ＷＢＧ１９２が押下処理される操作である。ステップＳ２５０において、ＹＥＳならば、ステップＳ２６０に進む。一方、ステップＳ２５０において、ＮＯならば、後述するステップＳ２８０に進む。
【０１４６】
ステップＳ２６０では、メタ情報を編集するためのメタ情報編集処理が行なわれる。メタ情報編集処理では、制御部５１０が、最新のメタ情報ファイルに基づいて、ＶＤＰ５３２を利用して、以下のメタ情報編集画像ＭＥＧ１００を生成するための処理を行なう。メタ情報編集画像ＭＥＧ１００は、最新のメタ情報ファイルに記述されたメタ情報を編集するための画像である。
【０１４７】
図１７は、一例としてのメタ情報編集画像ＭＥＧ１００を示す図である。図１７を参照して、メタ情報編集画像ＭＥＧ１００には、編集画像ＭＥＧ１１０が配置される。編集画像ＭＥＧ１１０には、最新のメタ情報ファイルに記述された１以上のメタ情報が表示される。編集枠ＥＭＲ１００は、インターフェース操作Ｐにより、編集画像ＭＥＧ１１０内において、上、下、左および右のいずれかに移動させることが可能である。編集画像ＭＥＧ１１０は、インターフェース操作Ｐにより、編集枠ＥＭＲ１００が配置された位置のメタ情報を編集可能な画像である。
【０１４８】
メタ情報編集画像ＭＥＧ１００には、さらに、ボタン画像ＭＢＧ１２２，ＭＢＧ１２４，ＭＢＧ１３２，ＭＢＧ１３４と、ボタン画像ＭＢＧ１９２，ＭＢＧ１９４とが配置される。
【０１４９】
ボタン画像ＭＢＧ１２２は、インターフェース操作Ｐで押下処理されることにより、編集画像ＭＥＧ１１０に表示されるメタ情報を、下にスクロール表示させるためのボタン画像である。ボタン画像ＭＢＧ１２４は、インターフェース操作Ｐで押下処理されることにより、編集画像ＭＥＧ１１０に表示されるメタ情報を、上にスクロール表示させるためのボタン画像である。ボタン画像ＭＢＧ１３２は、インターフェース操作Ｐで押下処理されることにより、編集画像ＭＥＧ１１０に表示されるメタ情報を、右にスクロール表示させるためのボタン画像である。ボタン画像ＭＢＧ１３４は、インターフェース操作Ｐで押下処理されることにより、編集画像ＭＥＧ１１０に表示されるメタ情報を、左にスクロール表示させるためのボタン画像である。
【０１５０】
ボタン画像ＭＢＧ１９２は、インターフェース操作Ｐで押下処理されることにより、メタ情報の編集を終了させ、編集されたメタ情報を、メタ情報ファイルに反映させるためのボタン画像である。ボタン画像ＭＢＧ１９４は、インターフェース操作Ｐで押下処理されることにより、メタ情報の編集を終了させるためのボタン画像である。
【０１５１】
再び、図１３を参照して、制御部５１０は、生成されたメタ情報編集画像ＭＥＧ１００を、ＶＤＰ５３２を利用して、表示部５３０に表示させる。これにより、ユーザは、インターフェース操作Ｐにより、編集枠ＥＭＲ１００が配置された位置のメタ情報を編集できる。
【０１５２】
編集画像ＭＥＧ１１０に表示されたメタ情報が、インターフェース操作Ｐにより編集された後、ボタン画像ＭＢＧ１９２が、インターフェース操作Ｐで押下処理された場合、制御部５１０は、編集されたメタ情報の内容を、メタ情報ファイルに反映させる。その後、制御部５１０は、メタ情報編集画像ＭＥＧ１００を、ＶＤＰ５３２を利用して、表示部５３０から消去させる。その後、再度、ステップＳ２１０の処理が行なわれる。
【０１５３】
また、編集画像ＭＥＧ１１０に表示されたメタ情報が編集されない状態で、ボタン画像ＭＢＧ１９２が、インターフェース操作Ｐで押下処理された場合、御部５１０は、メタ情報ファイルに記述されているメタ情報の内容を変更しない。その後、制御部５１０は、メタ情報編集画像ＭＥＧ１００を、ＶＤＰ５３２を利用して、表示部５３０から消去させる。その後、再度、ステップＳ２１０の処理が行なわれる。
【０１５４】
また、ボタン画像ＭＢＧ１９４が、インターフェース操作Ｐで押下処理された場合、制御部５１０は、編集画像ＭＥＧ１１０に表示されたメタ情報が編集さたか否かに関わらず、メタ情報ファイルに記述されているメタ情報の内容を変更しない。その後、制御部５１０は、メタ情報編集画像ＭＥＧ１００を、ＶＤＰ５３２を利用して、表示部５３０から消去させる。その後、再度、ステップＳ２１０の処理が行なわれる。
【０１５５】
前述のステップＳ２５０において、ＮＯならば、ステップＳ２８０に進む。
ステップＳ２８０では、制御部５１０が、編集不許可操作があるか否かを判定する。ここで、編集不許可操作とは、表示部５３０に表示されたメタ情報を編集することを許可しないための操作である。具体的には、編集不許可操作は、最新メタ情報表示画像ＷＧ１００が表示された状態で、インターフェース操作Ｐにより、ボタン画像ＷＢＧ１９４が押下処理される操作である。ステップＳ２８０において、ＹＥＳならば、制御部５１０は、最新メタ情報表示画像ＷＧ１００を、ＶＤＰ５３２を利用して、表示部５３０から消去させる。その後、再度、ステップＳ２１０の処理が行なわれる。一方、ステップＳ２８０において、ＮＯならば、再度、ステップＳ２５０の処理が行なわれる。
【０１５６】
なお、本実施の形態では、ユーザによるインターフェース操作Ｐにより、録画処理が停止した後、最新録画データのメタ情報を表示する処理およびメタ情報編集処理を行なわないように設定することも可能である。この設定が行なわれた場合、録画実行処理では、ステップＳ２３０の処理が終了した後、再度、ステップＳ２１０の処理が行なわれる。すなわち、ステップＳ２４０，Ｓ２５０，Ｓ２６０，Ｓ２８０の処理は行なわれない。
【０１５７】
なお、前述した録画実行処理のどの処理が行なわれているときでも、インターフェース操作Ｐにより、録画実行処理を終了させるための処理があると、録画実行処理は終了する。
【０１５８】
次に、録画データを再生するための処理について説明する。なお、コンテンツ再生装置５００Ａ，５００Ｂ，５００Ｃの各々の記憶部５２０には、複数の録画データが記憶されているとする。
【０１５９】
再び、図７を参照して、前述のステップＳ１２０において、ＮＯならば、ステップＳ１４０に進む。
【０１６０】
ステップＳ１４０では、制御部５１０が、再生メニュー表示操作があるか否かを判定する。再生メニュー表示操作とは、インターフェース操作Ｐにより、図８のメニュー画像Ｇ１００内のボタン画像ＢＧ１２０が選択状態にされ、かつ、押下処理される操作である。ステップＳ１４０において、ＹＥＳならば、ステップＳ４００に進む。一方、ステップＳ１４０において、ＮＯならば、後述するステップＳ１６０に進む。
【０１６１】
ステップＳ４００では、再生メニュー表示処理が行なわれる。
図１８は、再生メニュー表示処理のフローチャートである。図１８を参照して、ステップＳ４１０では、再生メニュー画像表示処理が行なわれる。再生メニュー画像表示処理では、制御部５１０が、記憶部５２０に記憶されている複数の録画データに基づいて、ＶＤＰ５３２を利用して、以下の再生メニュー画像Ｇ４００を生成するための処理を行なう。
【０１６２】
図１９は、一例としての再生メニュー画像Ｇ４００を示す図である。図１９を参照して、再生メニュー画像Ｇ４００には、リスト画像Ｇ４１０が配置される。リスト画像Ｇ４１０には、複数の録画データにそれぞれ対応する複数のメタ情報がリスト表示される。枠ＰＲ１００は、インターフェース操作Ｐにより、リスト画像Ｇ４１０内において、上および下のいずれかに移動させることが可能である。リスト画像Ｇ４１０は、インターフェース操作Ｐにより、枠ＰＲ１００が配置された位置のメタ情報に対応する録画データを再生するための画像である。
【０１６３】
再生メニュー画像Ｇ４００には、さらに、ボタン画像ＢＧ４２２，ＢＧ４２４，ＢＧ４３２，ＢＧ４３４と、ボタン画像ＢＧ４９２，ＢＧ４９４とが配置される。
【０１６４】
ボタン画像ＢＧ４２２は、インターフェース操作Ｐで押下処理されることにより、リスト画像Ｇ４１０に表示されるメタ情報を、下にスクロール表示させるためのボタン画像である。ボタン画像ＢＧ４２４は、インターフェース操作Ｐで押下処理されることにより、リスト画像Ｇ４１０に表示されるメタ情報を、上にスクロール表示させるためのボタン画像である。ボタン画像ＢＧ４３２は、インターフェース操作Ｐで押下処理されることにより、リスト画像Ｇ４１０に表示されるメタ情報を、右にスクロール表示させるためのボタン画像である。ボタン画像ＢＧ４３４は、インターフェース操作Ｐで押下処理されることにより、リスト画像Ｇ４１０に表示されるメタ情報を、左にスクロール表示させるためのボタン画像である。
【０１６５】
ボタン画像ＢＧ４９２は、インターフェース操作Ｐで押下処理されることにより、リスト画像Ｇ４１０内において、枠ＰＲ１００が配置された位置のメタ情報に対応する録画データを再生するためのボタン画像である。ボタン画像ＢＧ４９４は、インターフェース操作Ｐで押下処理されることにより、再生メニュー画像Ｇ４００を、表示部５３０から消去するためのボタン画像である。
【０１６６】
再び、図１８を参照して、制御部５１０は、生成された再生メニュー画像Ｇ４００を、ＶＤＰ５３２を利用して、表示部５３０に表示させる。その後、ステップＳ４１２に進む。
【０１６７】
ステップＳ４１２では、制御部５１０が、再生操作があるか否かを判定する。ここで、再生操作とは、表示部５３０に表示されたメタ情報に対応する録画データを再生するための操作である。具体的には、再生操作は、インターフェース操作Ｐにより、リスト画像Ｇ４１０内のメタ情報が枠ＰＲ１００により選択された状態において、インターフェース操作Ｐにより、ボタン画像ＢＧ４９２が押下処理される操作である。ステップＳ４１２において、ＹＥＳならば、ステップＳ４２０に進む。一方、ステップＳ４１２において、ＮＯならば、ステップＳ４１４に進む。
【０１６８】
ステップＳ４１４では、制御部５１０が、再生取消操作があるか否かを判定する。ここで、再生取消操作とは、インターフェース操作Ｐにより、ボタン画像ＢＧ４９４が押下処理される操作である。ステップＳ４１４において、ＹＥＳならば、この再生メニュー表示処理は終了し、図７のコンテンツ取扱い処理に戻り、再度、ステップＳ１１０の処理が行なわれる。一方、ステップＳ４１４において、ＮＯならば、再度，ステップＳ４１２の処理が行なわれる。
【０１６９】
ステップＳ４２０では、再生処理が実行される。再生処理は、再生メニュー表示処理とは独立して行なわれる処理である。再生処理では、ステップＳ４１２で判定された再生操作により選択されたメタ情報に対応する録画データ（以下、選択録画データともいう）を再生する処理である。具体的には、制御部５１０が、選択録画データに基づく動画像を、ＶＤＰ５３２を利用して、表示部５３０に表示させることにより、選択録画データを再生する。再生処理は、再生している選択録画データの再生時間が経過すると、終了する。
【０１７０】
ステップＳ４２０の処理の後、ステップＳ４３０に進む。
ステップＳ４３０では、制御部５１０が、再生処理が終了したか否かを判定する。ステップＳ４３０において、ＹＥＳならば、ステップＳ４３２に進む。一方、ステップＳ４３０において、ＮＯならば、再度、ステップＳ４３０の処理が行なわれる。
【０１７１】
ステップＳ４３２では、再生が終了した録画データ（以下、再生済録画データともいう）が途中録画データであるか否かが判定される。ここで、途中録画データとは、番組の最後まで録画されていない中途半端な録画データである。具体的には、制御部５１０が、記憶部５２０に記憶されたメタ情報ファイルに記述された、再生済録画データに対応する、「録画終了予定日時」および「録画終了日時」を参照する。そして、制御部５１０は、「録画終了予定日時」と「録画終了日時」とが一致するか否かを判定する。
【０１７２】
前述したように、録画処理の途中で、録画停止操作があった場合、録画データの「録画終了日時」は、「録画終了予定日時」と一致しない。この場合、録画データは、途中録画データとなる。
【０１７３】
図２０は、途中録画データを説明するための図である。図２０を参照して、横軸は、時間を示す。ＲＣＤ１，ＲＣＤ２，ＲＣＤ３は、同じ番組（以下、録画番組ともいう）を録画した録画データである。時刻ｔ０および時刻ｔ３は、それぞれ、録画番組の「録画開始予定日時」および「録画終了予定日時」を示す。
【０１７４】
録画データＲＣＤ１の「録画開始日時」および「録画終了日時」は、それぞれ、時刻ｔ０および時刻ｔ３である。録画データＲＣＤ２の「録画開始日時」および「録画終了日時」は、それぞれ、時刻ｔ０および時刻ｔ２である。録画データＲＣＤ３の「録画開始日時」および「録画終了日時」は、それぞれ、時刻ｔ１および時刻ｔ３である。
【０１７５】
録画データＲＣＤ１の「録画終了日時」は、「録画終了予定日時」と一致する。すなわち、録画データＲＣＤ１は、途中録画データではない。録画データＲＣＤ２の「録画終了日時」は、「録画終了予定日時」と一致しない。すなわち、録画データＲＣＤ２は、途中録画データである。録画データＲＣＤ３の「録画終了日時」は、「録画終了予定日時」と一致する。すなわち、録画データＲＣＤ３は、途中録画データではない。
【０１７６】
再び、図１８を参照して、ステップＳ４３２において、ＹＥＳならば、ステップＳ４３４に進む。一方、ステップＳ４３２において、ＮＯならば、後述するステップＳ４３４Ａに進む。本実施の形態では、再生済録画データは、図２０の録画データＲＣＤ２のように、「録画終了日時」と「録画終了予定日時」とが一致しない録画データであるとする。したがって、ステップＳ４３４に進む。
【０１７７】
ステップＳ４３４では、再生済録画データの続きを再生するか否かが判定される。まず、制御部５１０が、再生済録画データの続きを再生するか否かをユーザに問合せるために、ＶＤＰ５３２を利用して、以下の問合せ画像ＷＧ２００を生成し、問合せ画像ＷＧ２００を表示部５３０に表示させる処理を行なう。
【０１７８】
図２１は、一例としての問合せ画像ＷＧ２００を示す図である。図２１を参照して、問合せ画像ＷＧ２００には、ボタン画像ＷＢＧ２９２，ＷＢＧ２９４が配置される。ボタン画像ＷＢＧ２９２は、インターフェース操作Ｐで押下処理されることにより、再生済録画データの続きを再生するためのボタン画像である。ボタン画像ＷＢＧ２９４は、インターフェース操作Ｐで押下処理されることにより、再生済録画データの続きを再生しないためのボタン画像である。
【０１７９】
再び、図１８を参照して、ステップＳ４３４では、問合せ画像ＷＧ２００が表示部５３０に表示された状態において、制御部５１０が、続き再生操作があるか否かを判定する。ここで、続き再生操作は、インターフェース操作Ｐにより、ボタン画像ＷＢＧ２９２が押下処理される操作である。制御部５１０により、続き再生操作があると判定されると、ステップＳ４３４では、ＹＥＳと判定されることになり、ステップＳ４４０に進む。
【０１８０】
また、問合せ画像ＷＧ２００が表示部５３０に表示された状態において、制御部５１０は、続き再生終了操作があるか否かも判定する。ここで、続き再生終了操作は、インターフェース操作Ｐにより、ボタン画像ＷＢＧ２９４を押下処理される操作である。制御部５１０により、続き再生終了操作があると判定されると、ステップＳ４３４では、ＮＯと判定されることになり、この再生メニュー表示処理は終了し、図７のコンテンツ取扱い処理に戻り、再度、ステップＳ１１０の処理が行なわれる。
【０１８１】
なお、再生メニュー表示処理において、ステップＳ４３４の処理は行なわれなくてもよい。この場合、ステップＳ４３２の処理の後、ステップＳ４４０の処理が行なわれる。この場合、続き再生操作を行なうといった手間から、ユーザを開放させることができる。
【０１８２】
ステップＳ４４０では、検索処理が行なわれる。
図２２は、検索処理のフローチャートである。図２２を参照して、ステップＳ４４１では、ｎ（自然数）番目のメタ情報ファイルの読出しが行なわれる。ここで、ｎ番目のメタ情報ファイルとは、記憶部５２０に記憶されているメタ情報パス名テーブルＴ２０（図６参照）において、番号“ｎ”に対応するパス名の示す場所に記憶されているメタ情報ファイルである。なお、ｎの初期値は、“１”であるとする。
【０１８３】
たとえば、ｎが“１”の場合、制御部５１０が、端末名がＰＣ５００Ａであるコンテンツ再生装置５００Ａの記憶部５２０において、番号“１”に対応するパス名の示す場所に記憶されているメタ情報ファイルを読み出す。以下においては、ステップＳ４４１の処理により読み出されたメタ情報ファイルを、読出しメタ情報ファイルともいう。ここで、読出しメタ情報ファイルに記述されている複数のメタ情報は、たとえば、図１５に示すような状態であるとする。その後、ステップＳ４４２に進む。
【０１８４】
ステップＳ４４２では、類似評価点を算出するための類似評価点算出処理が行なわれる。ここで、類似評価点とは、記憶部５２０に記憶されたメタ情報ファイルに記述された、再生済録画データに対応するメタ情報と、読出しメタ情報ファイルに記述されている複数のメタ情報の各々との類似度を示す点数である。なお、類似評価点が高いほど、類似度は高いとする。以下においては、再生済録画データに対応するメタ情報を、再生済録画データメタ情報ともいう。
【０１８５】
類似評価点算出処理では、制御部５１０が、以下の類似評価点算出テーブルＴ３００に基づいて、再生済録画データメタ情報と、読出しメタ情報ファイルに記述されている複数のメタ情報の各々とを比較する比較処理を行ない、類似評価点を算出する。
【０１８６】
図２３は、一例としての類似評価点算出テーブルＴ３００を示す図である。図２３を参照して、類似評価点算出テーブルＴ３００において、「比較情報」とは、再生済録画データメタ情報と、読出しメタ情報ファイルに記述されている複数のメタ情報の各々とを比較する場合に、比較の対象となる情報である。「点数」とは、再生済録画データメタ情報の比較情報と、読出しメタ情報ファイルに記述されている複数のメタ情報の各々の比較情報とが一致した場合に、類似評価点に加算する点数である。なお、類似評価点の初期値は、“０”である。
【０１８７】
たとえば、比較処理において、再生済録画データメタ情報の「録画開始予定日時」と、読出しメタ情報ファイル（図１５参照）に記述される管理番号“００１”のメタ情報の「録画開始予定日時」とが一致した場合、制御部５１０は、管理番号“００１”に対応する録画データの類似評価点に、“３”を加算する。
【０１８８】
再び、図２２を参照して、制御部５１０は、再生済録画データメタ情報と、読出しメタ情報ファイル（図１５参照）に記述される、たとえば、管理番号“００１”のメタ情報との比較処理において、類似評価点算出テーブルＴ３００の全ての比較情報の各々毎に、比較情報が一致するか否かを判定する。そして、制御部５１０は、類似評価点算出テーブルＴ３００において、一致した比較情報に対応する点数を、管理番号“００１”に対応する録画データの類似評価点に加算する。これにより、管理番号“００１” に対応する録画データの類似評価点が算出される。
【０１８９】
制御部５１０は、管理番号“００１” に対応する録画データの類似評価点を算出する処理と同様な処理を、読出しメタ情報ファイル（図１５参照）の全てのメタ情報に対し行なう。なお、読出しメタ情報ファイルに、再生済録画データのメタ情報がある場合、再生済録画データのメタ情報に対応する録画データの類似評価点は算出されない。これにより、読出しメタ情報ファイルの全てのメタ情報において、再生済録画データのメタ情報を除いた、複数のメタ情報の各々に対応する類似評価点が算出される。
【０１９０】
すなわち、読出しメタ情報ファイルに対応する全ての録画データのうち、再生済録画データを除いた、複数の録画データの各々に対応する類似評価点が算出される。なお、類似評価点が高い録画データほど、再生済録画データと同一番組を録画したデータである可能性が高くなる。なお、読出しメタ情報ファイルに対応する全ての録画データにおいて、再生済録画データがない場合は、読出しメタ情報ファイルに対応する全ての録画データの各々に対応する類似評価点が算出される。そして、ステップＳ４４２の処理は終了する。
【０１９１】
なお、上記の類似評価点の算出方法は、上記の方法に加え、以下の算出方法を含んでもよい。たとえば、類似評価点の算出方法は、類似評価点算出処理において、比較情報を、ファイル名とし、ファイル名の類似度に基づいて、類似評価点に所定の点数を加算する方法を含んでもよい。また、類似評価点の算出方法は、類似評価点算出処理において、比較情報を、再生済録画データの録画開始日時と、読出しメタ情報ファイルの比較対照となるメタ情報の録画開始日時との間隔（たとえば、１日、１週間）、および、再生済録画データの録画終了日時と、読出しメタ情報ファイルの比較対照となるメタ情報の録画終了日時との間隔とし、２つの間隔の情報に基づいて、類似評価点に所定の点数を加算する方法を含んでもよい。
【０１９２】
また、類似評価点の算出方法は、類似評価点算出処理において、比較情報を、出演者とし、出演者の一致した数に基づいて、類似評価点に所定の点数を加算する方法を含んでもよい。また、類似評価点の算出方法は、類似評価点算出処理において、比較情報を、番組内容に含まれる複数の単語とし、単語の一致した数に基づいて、類似評価点に所定の点数を加算する方法を含んでもよい。
【０１９３】
ステップＳ４４２の処理が終了すると、ステップＳ４４３に進む。
ステップＳ４４３では、検索評価リスト記述処理が行なわれる。ここで、検索評価リストとは、ステップＳ４４２の類似評価点算出処理において算出された、全ての類似評価点の各々を、対応する録画データのメタ情報の一部とともに記述するためのリストである。検索評価リストは、記憶部５２０に予め記憶されている。なお、初期状態では、検索評価リストには、何も記述されていない。
【０１９４】
検索評価リスト記述処理では、制御部５１０が、ステップＳ４４２の類似評価点算出処理において算出された、全ての類似評価点の各々を、対応する録画データのメタ情報の一部および対応する端末名とともに、検索評価リストに記述する。
【０１９５】
図２４は、一例として、検索評価リストに記述された情報を示す図である。なお、図２４は、１つのコンテンツ再生装置のメタ情報ファイルに対して、前述の検索評価リスト記述処理が行なわれた場合に検索評価リストに記述される情報を示す図である。
【０１９６】
図２４を参照して、検索評価リストには、録画データの類似評価点の高い順に、録画データに関する情報が記述される。「端末名」は、録画データを記憶している端末名である。「パス名」は、録画データのパス名である。
【０１９７】
ステップＳ４４３の処理が終了すると、ステップＳ４４４に進む。
ステップＳ４４４では、全てのメタ情報ファイルの読出しが終了したか否かが判定される。具体的には、制御部５１０が、ｎの値が、記憶部５２０に記憶されているメタ情報パス名テーブルＴ２０（図６参照）に示されるパス名の数と一致するか否かを判定する。なお、メタ情報パス名テーブルＴ２０に示されるパス名の数は、“３”である。ステップＳ４４４において、ＹＥＳならば、この検索処理は終了し、図１８の再生メニュー表示処理に戻り、ステップＳ４４０の次の後述するステップＳ４５０に進む。一方、ステップＳ４４４において、ＮＯならば、ステップＳ４４５に進む。
【０１９８】
ステップＳ４４５では、制御部５１０が、ｎの値を１インクリメントする。その後、再度、ステップＳ４４１の処理が行なわれる。ここでは、ステップＳ４４５の処理の後、ｎの値が“２”となったとして、ステップＳ４４１で行なわれる処理を説明する。
【０１９９】
ステップＳ４４１では、ｎが“２”であるので、制御部５１０は、メタ情報パス名テーブルＴ２０の番号“２”の端末名に基づいて、通信部５６２および通信部５０を介して、端末名がＰＣ５００Ｂであるコンテンツ再生装置５００Ｂにデータアクセスする。そして、制御部５１０は、コンテンツ再生装置５００Ｂの記憶部５２０において、メタ情報パス名テーブルＴ２０の番号“２”に対応するパス名の示す場所に記憶されているメタ情報ファイルを読み出す。その後、前述したステップＳ４４２，Ｓ４４３の処理が行なわれる。ステップＳ４４３の処理により、検索評価リストに記述された情報は、以下の図２５のようになったとする。
【０２００】
図２５は、一例として、検索評価リストに記述された情報を示す図である。なお、図２５は、２つのコンテンツ再生装置のメタ情報ファイルに対して、前述の検索評価リスト記述処理が行なわれた場合に検索評価リストに記述される情報を示す図である。
【０２０１】
その後、前述のステップＳ４４４の処理が行なわれる。ステップＳ４４４において、ＮＯならば、ステップＳ４４５の処理を行なった後、再度、ステップＳ４４１の処理が行なわれる。
【０２０２】
そして、ステップＳ４４４でＹＥＳと判定されるまで、ステップＳ４４１，ステップＳ４４２，ステップＳ４４３，ステップＳ４４５の処理が繰り返される。なお、ステップＳ４４１において、制御部５１０が、コンテンツ再生装置５００Ｃの記憶部５２０に記憶されているメタ情報ファイルの読み出す処理は、ｎが“２”である場合の、前述したステップＳ４４１の処理と同様なので詳細な説明は繰り返さない。
【０２０３】
ステップＳ４４４において、ＹＥＳと判定されると、この検索処理は終了し、図１８の再生メニュー表示処理に戻り、ステップＳ４４０の次のステップＳ４５０に進む。
【０２０４】
再び、図１８を参照して、ステップＳ４５０では、再生済録画データと類似度の高い番組を録画した録画データ（以下、類似番組録画データともいう）があるか否かが判定される。たとえば、再生済録画データが、ＡＢＣドラマの第１話を録画したデータである場合、類似番組録画データは、ＡＢＣドラマの第２話を録画したデータである。また、再生済録画データが、ＡＢＣドラマの第１話を録画したデータである場合、類似番組録画データは、ＡＢＣドラマの第１話を録画したデータである場合もある。すなわち、再生済録画データおよび類似番組録画データの各々は、同一番組を録画した録画データである場合もある。
【０２０５】
具体的には、制御部５１０が、記憶部５２０に記憶されている検索評価リストにおいて、類似番組録画データ判定基準点以上の類似評価点が算出された録画データの情報があるか否かを判定する。ここで、類似番組録画データ判定基準点とは、類似番組録画データであるか否かを判定するための基準点である。類似番組録画データ判定基準点は、たとえば、４であるとする。この場合、検索評価リストに記述された情報が、たとえば、図２５に示される情報であるとすると、類似番組録画データは、図２５において、「順位」が“１”，“２”にそれぞれ対応する複数の録画データとなる。ステップＳ４５０において、ＹＥＳならば、ステップＳ４５２に進む。一方、ステップＳ４５０において、ＮＯならば、後述するステップＳ４６０に進む。
【０２０６】
ステップＳ４５２では、再生済録画データと同一番組を録画した録画データ（以下、同一番組録画データともいう）があるか否かが判定される。具体的には、制御部５１０が、記憶部５２０に記憶されている検索評価リストにおいて、同一番組録画データ判定基準点以上の類似評価点の録画データの情報があるか否かを判定する。ここで、同一番組録画データ判定基準点とは、同一番組録画データがあるか否かを判定するための基準点である。なお、同一番組録画データ判定基準点は、類似番組録画データ判定基準点よりも高い点である。同一番組録画データ判定基準点は、たとえば、１０であるとする。
【０２０７】
この場合、検索評価リストに記述された情報が、たとえば、図２５に示される情報であるとすると、同一番組録画データは、図２５において、「順位」が“１”に対応する録画データとなる。本実施の形態では、前述の図２２の検索処理の類似評価点算出処理（ステップＳ４４２）において、比較情報に、録画開始予定日時、録画終了予定日時、録画開始日時および録画終了日時を使用して、対応する録画データの類似評価点が算出される。これにより、非常に高い精度で、同一番組録画データを判定することができる。
【０２０８】
したがって、再生済録画データが、たとえば、ＡＢＣドラマの第２話を録画したデータである場合、同一番組録画データは、再生済録画データと類似度の高いＡＢＣドラマの第１話を録画したデータとなる確率は非常に低くなる。同一番組録画データは、後述する処理により再生される。したがって、たとえば、ＡＢＣドラマの第２話の録画データの再生が終了した後、ＡＢＣドラマの第１話の録画データの再生が行なわれる確率は非常に低くなる。
【０２０９】
ステップＳ４５２において、ＹＥＳならば、ステップＳ４５４に進む。一方、ステップＳ４５２において、ＮＯならば、後述するステップＳ４６０に進む。
【０２１０】
ステップＳ４５４では、制御部５１０が、再生済録画データの録画終了日時が同一番組録画データの録画開始日時以後であるか否かを判定する。ステップＳ４５４において、ＹＥＳならば、ステップＳ４５６に進む。一方、ステップＳ４５４において、ＮＯならば、後述するステップＳ４６０に進む。
【０２１１】
ここで、再生済録画データは、図２０の録画データＲＣＤ２であるとする。すなわち、再生済録画データは、番組の最後まで録画がされてない途中録画データであるとする。また、同一番組録画データは、図２０の録画データＲＣＤ３であるとする。すなわち、再生済録画データの録画終了日時（時刻ｔ２）は、同一番組録画データの録画開始日時（時刻ｔ１）以後であり、かつ、再生済録画データは、番組の最後まで録画がされてないデータであるとする。また、同一番組録画データは、図２５に示される「ＡＢＣドラマ（第１話）」を録画したデータであるとする。すなわち、同一番組録画データのファイル名は、「０６０１３０−２２００．ｍｐｇ」である。この場合、ステップＳ４５４において、ＹＥＳと判定され、ステップＳ４５６に進む。
【０２１２】
ステップＳ４５６では、続き再生処理が行なわれる。
続き再生処理では、制御部５１０が、検索評価リストに記述されている同一番組録画データのパス名を参照して、同一番組録画データを読み出す。ここでは、同一番組録画データは、図２５より、コンテンツ再生装置５００Ｂの記憶部５２０に記憶されている。したがって、制御部５１０は、通信部５６２および通信部５０を介して、コンテンツ再生装置５００Ｂの記憶部５２０から、ファイル名が「０６０１３０−２２００．ｍｐｇ」である同一番組録画データを読み出す。
【０２１３】
制御部５１０は、読み出した同一番組録画データ（ＲＣＤ３）において、再生済録画データ（ＲＣＤ２）の録画終了日時（図２０の時刻ｔ２）と同じ日時に対応する部分（図２０の時刻ｔ２）から、同一番組録画データを再生する。すなわち、同一番組録画データ（ＲＣＤ３）は、再生済録画データ（ＲＣＤ２）の続きから再生されることになる。具体的には、制御部５１０は、再生済録画データ（ＲＣＤ２）の録画終了日時（時刻ｔ２）と、同一番組録画データ（ＲＣＤ３）の録画開始日時（時刻ｔ１）との差の時間（たとえば、１０分）を算出する。そして、制御部５１０は、同一番組録画データ（ＲＣＤ３）において、同一番組録画データ（ＲＣＤ３）の録画開始日時（時刻ｔ１）から、算出した差の時間（たとえば、１０分）経過した部分（時刻ｔ２）から、同一番組録画データの再生を行なう。
【０２１４】
なお、同一番組録画データが再生された動画像は、制御部５１０が、ＶＤＰ５３０を利用して、表示部５３０に表示させる。同一番組録画データの再生が終了すると、再度、ステップＳ４３２の処理が行なわれる。
【０２１５】
以上の処理により、再生済録画データが、番組の最後まで録画がされてない途中録画データであっても、ネットワーク内の他のコンテンツ再生装置に同一番組録画データがあった場合、自動的に、続きを再生させることができる。これにより、再生済録画データが、番組の最後まで録画がされてない途中録画データである場合、ネットワーク内の他のコンテンツ再生装置にアクセスして、再生済録画データの続きを含む録画データを検索するといった手間から、ユーザを開放させることができる。したがって、ネットワークにおいて共有されているコンテンツである録画データの再生の利便性を向上させることができるという効果を奏する。
【０２１６】
前述のステップＳ４５０、ステップＳ４５２またはステップＳ４５４において、ＮＯと判定された場合、ステップＳ４６０に進む。
【０２１７】
ステップＳ４６０では、コンテンツ購入処理が行なわれる。
図２６は、コンテンツ購入処理のフローチャートである。なお、図２６には、コンテンツサーバ６００で行なわれる処理のフローチャートも示される。コンテンツサーバ６００の記憶部６２０には、現在の日時から、所定期間（たとえば、１週間）前までの日時までの期間における、全てのチャンネルの全ての番組の録画データが記憶されている。前述したように、コンテンツサーバ６００は、１つの番組全てではなく、１つの番組のうちの一部分のみの視聴を望むユーザのために当該一部分のデータの購入を可能にするサーバである。
【０２１８】
ステップＳ４６１では、制御部５１０が、コンテンツ要求信号を生成する。コンテンツ要求信号には、コンテンツサーバ６００にアクセスするためのパスワードが含まれる。また、この場合、コンテンツ要求信号は、再生済録画データと同一番組を録画した録画データであって、当該録画データにおいて、再生済録画データの録画終了日時に対応する部分から再生済録画データの録画終了予定日時までの録画データを購入するための信号であるとする。
【０２１９】
ここで、再生済録画データは、図２０の録画データＲＣＤ２であるとする。前述の再生済録画データと同一番組を録画した録画データは、録画データＲＣＤ１であるとする。この場合、前述の再生済録画データ（ＲＣＤ２）の録画終了日時（時刻ｔ２）に対応する部分とは、録画データＲＣＤ１において、時刻ｔ２の部分である。また、前述の再生済録画データの録画終了予定日時とは、録画データＲＣＤ１において、時刻ｔ３の部分である。その後、ステップＳ４６２に進む。
【０２２０】
ステップＳ４６２では、制御部５１０が、生成したコンテンツ要求信号を、通信部５０およびネットワーク７０を介して、コンテンツサーバ６００へ送信する。
【０２２１】
コンテンツサーバ６００では、以下の処理が行なわれる。まず、ステップＳ５１０では、制御部６１０が、コンテンツ要求信号を受信したか否かを判定する。ステップＳ５１０において、ＹＥＳならば、ステップＳ５２０に進む。一方、ステップＳ５１０において、ＮＯならば、再度、ステップＳ５１０の処理が行なわれる。
【０２２２】
ステップＳ５２０では、認証処理が行なわれる。具体的には、制御部６１０が、記憶部６２０に記憶されている認証情報に基づいて、コンテンツ要求信号を送信した装置が、不正ユーザにより使用された装置でないか否かを判定する。認証情報には、コンテンツサーバ６００にアクセス可能な装置の情報が含まれる。具体的には、制御部３５０が、コンテンツ要求信号を送信した装置が、認証情報に含まれる装置であるか否かを判定する。ステップＳ５２０において、ＹＥＳならば、ステップＳ５３０に進む。一方、ステップＳ５２０において、ＮＯならば、再度、ステップＳ５１０の処理が行なわれる。
【０２２３】
ステップＳ５３０では、課金処理が行なわれる。課金処理では、制御部６１０が、コンテンツ要求信号で要求された録画データに基づいて、当該録画データを要求するユーザが支払うべき金額を算出する。そして、算出した金額の情報（以下、課金情報ともいう）を、コンテンツ再生装置５００Ａへ送信する。
【０２２４】
コンテンツ再生装置５００Ａでは、ステップＳ４６２の処理の後、ステップＳ４６３に進む。
【０２２５】
ステップＳ４６３では、コンテンツ再生装置５００Ａの制御部５１０が、コンテンツサーバ６００から送信された課金情報を受信する。受信した課金情報は、たとえば、制御部５１０が、当該課金情報を表示部５３０に表示させるための描画指示をＶＤＰ５３２へ送信することにより、表示部５３０に表示される。その後、ステップＳ４６４に進む。
【０２２６】
ステップＳ４６４では、承諾操作に応じて、承諾信号が送信される。ここで、承諾操作とは、ユーザが表示部５３０に表示された課金情報を承諾した場合に、ユーザにより行なわれるインターフェース操作Ｐである。承諾信号は、制御部５１０が、承諾操作に基づいて、生成する信号である。そして、制御部５１０は、生成した承諾信号をコンテンツサーバ６００へ送信する。
【０２２７】
コンテンツサーバ６００では、ステップＳ５３０の処理の後、ステップＳ５４０に進む。
【０２２８】
ステップＳ５４０では、制御部６１０が、承諾信号を受信したか否かを判定する。ステップＳ５４０において、ＹＥＳならば、ステップＳ５５０に進む。一方、ステップＳ５４０において、ＮＯならば、再度、ステップＳ５４０の処理が行なわれる。
【０２２９】
ステップＳ５５０では、制御部６１０が、コンテンツ要求信号で要求されたデータを記憶部６２０から読出し、コンテンツ再生装置５００Ａへ送信する。この場合、コンテンツ要求信号で要求されたデータは、再生済録画データと同一番組を録画した録画データ（ＲＣＤ１）であって、図２０の録画データＲＣＤ１において、時刻ｔ２から時刻ｔ３までのデータである。
【０２３０】
コンテンツ再生装置５００Ａでは、ステップＳ４６４の処理の後、ステップＳ４６６に進む。
【０２３１】
ステップＳ４６６では、制御部５１０が、コンテンツサーバ６００から、要求したデータの受信を開始する。その後、このコンテンツ購入処理は終了し、図１８の再生メニュー表示処理に戻り、ステップＳ４６０の次のステップＳ４７０に進む。
【０２３２】
なお、ステップＳ４６０と、ステップＳ４７０との間に、前述のステップＳ４３４の処理が行なわれてもよい。この場合、制御部５１０により、続き再生操作があると判定されると、ステップＳ４７０に進む。一方、制御部５１０により、続き再生終了操作があると判定されると、この再生メニュー表示処理は終了し、図７のコンテンツ取扱い処理に戻り、再度、ステップＳ１１０の処理が行なわれる。
【０２３３】
ステップＳ４７０では、続き再生処理が行なわれる。続き再生処理では、制御部５１０が、コンテンツサーバ６００から受信を開始したデータを、順次、デコードし、デコードしたデータと、デコードしたデータを表示部５３０で再生表示させるための描画指示とをＶＤＰ５３２へ、順次、送信する。ＶＤＰ５３２は描画指示に従い、デコードしたデータに基づく動画像を、表示部５３０に表示させる。すなわち、コンテンツサーバ６００から、動画像（番組）のデータを受信しながら、表示部５３０には、既に受信したデータに基づく動画像が、順次、表示される。すなわち、ストリーミング再生が行なわれる。なお、コンテンツサーバ６００から、受信したデータの全てを、制御部５１０が、一旦、記憶部５２０に記憶させた後、表示部５３０に、当該受信したデータを再生表示させてもよい。コンテンツサーバ６００から受信したデータの再生が終了すると、再度、ステップＳ４３２の処理が行なわれる。
【０２３４】
以上の処理により、本実施の形態では、再生済録画データが、番組の最後まで録画がされてない途中録画データの場合、コンテンツサーバ６００から、再生済録画データと同一番組を録画した録画データであって、当該録画データにおいて、再生済録画データの録画終了日時に対応する部分から再生済録画データの録画終了予定日時までの録画データを受信する。そして、受信したデータを、表示部５３０に表示させる。
【０２３５】
これにより、再生済録画データが、番組の最後まで録画がされてない途中録画データであっても、再生済録画データの続きの動画像を、ユーザは、視聴することができる。また、ユーザは、視聴を望む番組の全てに対する料金ではなく、番組の一部分のデータに基づいた料金を支払うのみでよいため、無駄な支払いを避けることができるという効果を奏する。
【０２３６】
前述のステップＳ４３２において、ＮＯならば、ステップＳ４３４Ａに進む。
ステップＳ４３４Ａでは、前述のステップＳ４３４と同様な処理が行なわれるので詳細な説明は繰り返さない。制御部５１０により、続き再生操作があると判定されると、ステップＳ４３４Ａでは、ＹＥＳと判定されることになり、ステップＳ４８０に進む。一方、制御部５１０により、続き再生終了操作があると判定されると、ステップＳ４３４Ａでは、ＮＯと判定されることになり、この再生メニュー表示処理は終了し、図７のコンテンツ取扱い処理に戻り、再度、ステップＳ１１０の処理が行なわれる。
【０２３７】
なお、再生メニュー表示処理において、ステップＳ４３４Ａの処理は行なわれなくてもよい。この場合、ステップＳ４３２の処理の後、ステップＳ４８０の処理が行なわれる。この場合、続き再生操作を行なうといった手間から、ユーザを開放させることができる。
【０２３８】
ステップＳ４８０では、前述のステップＳ４４０の検索処理と同様な処理が行なわれるので詳細な説明は繰り返さない。これにより、検索評価リストに前述したような情報が記述される。その後、ステップＳ４８２に進む。
【０２３９】
ステップＳ４８２では、再生済録画データと類似度の高い番組を録画した類似番組録画データがあるか否かが判定される。具体的には、制御部５１０が、記憶部５２０に記憶されている検索評価リストにおいて、前述の類似番組録画データ判定基準点以上の類似評価点が算出された録画データの情報があるか否かを判定する。
【０２４０】
なお、類似番組録画データ判定基準点以上の類似評価点が算出された録画データの録画終了日時が、再生済録画データの録画終了日時より後の日時でない場合、制御部５１０により、類似番組録画データはなしと判定される。また、類似番組録画データ判定基準点以上の類似評価点が算出された録画データが複数ある場合は、当該複数の録画データのうち、録画終了日時が再生済録画データの録画終了日時より後の日時の録画データであって、かつ、最も類似評価点の高い録画データが類似番組録画データであると、制御部５１０により判定される。また、類似番組録画データ判定基準点以上の類似評価点が算出された録画データが複数ある場合であっても、当該複数の録画データのうち、録画終了日時が再生済録画データの録画終了日時より後の日時の録画データがない場合、制御部５１０により、類似番組録画データはなしと判定される。
【０２４１】
上記判定により、再生済録画データが、たとえば、ＡＢＣドラマの第１話を録画したデータである場合、類似番組録画データは、たとえば、ＡＢＣドラマの第１話の続きである、ＡＢＣドラマの第２話を録画したデータとなる可能性が高くなる。すなわち、再生済録画データが、たとえば、ＡＢＣドラマの第２話を録画したデータである場合、類似番組録画データは、たとえば、ＡＢＣドラマの第２話よりも前の日時に放送された、ＡＢＣドラマの第１話を録画したデータとなることはない。ステップＳ４８２において、ＹＥＳならば、ステップＳ４８６に進む。一方、ステップＳ４８２において、ＮＯならば、再度、ステップＳ４３４Ａの処理が行なわれる。
【０２４２】
ステップＳ４８６では、続き再生処理が行なわれる。続き再生処理では、制御部５１０が、検索評価リストに記述されている類似番組録画データのパス名を参照して、類似番組録画データを読み出す。ここでは、類似番組録画データは、たとえば、コンテンツ再生装置５００Ｂの記憶部５２０に記憶されているとする。したがって、制御部５１０は、通信部５６２および通信部５０を介して、コンテンツ再生装置５００Ｂの記憶部５２０から、類似番組録画データを読み出す。ここで、類似番組録画データは、たとえば、ＡＢＣドラマの第２話を録画したデータであるとする。
【０２４３】
制御部５１０は、読み出した類似番組録画データを再生する。なお、類似番組録画データが再生された動画像は、制御部５１０が、ＶＤＰ５３０を利用して、表示部５３０に表示させる。類似番組録画データの再生が終了すると、再度、ステップＳ４３２の処理が行なわれる。
【０２４４】
なお、本実施の形態では、ステップＳ４８２でＮＯと判定された場合、前述のステップＳ４６０の処理のコンテンツ購入処理が行なわれてもよい。そして、コンテンツ購入処理において、コンテンツサーバ６００から、類似番組録画データを購入して、類似番組録画データをコンテンツサーバ６００から受信してもよい。ここで、再生済録画データが、たとえば、ＡＢＣドラマの第１話を録画したデータである場合、類似番組録画データは、たとえば、ＡＢＣドラマの第１話の続きである、ＡＢＣドラマの第２話を録画したデータとなる。そして、制御部５１０が、類似番組録画データに基づく動画像を、表示部５３０に表示させる。
【０２４５】
以上の処理により、再生済録画データの続きである可能性の高い類似番組録画データを、自動的に、再生させることができる。したがって、ネットワークにおいて共有されているコンテンツである録画データの再生の利便性を向上させることができるという効果を奏する。
【０２４６】
次に、コンテンツとしての複数の録画データを再生する順序が記載されたコンテンツリストに基づいて、コンテンツとしての複数の録画データを順次再生するための処理について説明する。ここで、コンテンツとは、たとえば、番組の動画像等である。コンテンツリストには、複数のコンテンツ情報が記述される。複数のコンテンツ情報の各々は、録画データのメタ情報を含む。前述したように、録画データのメタ情報は、記憶部５２０に記憶されているメタ情報ファイルに記述されている情報（たとえば、図１４参照）である。
【０２４７】
ここで、初期状態では、コンテンツ再生装置５００Ａの記憶部５２０には、コンテンツリストは記憶されてないものとする。また、コンテンツ再生装置５００Ｂ，５００Ｃの各々の記憶部５２０の共有ドライブまたは共有フォルダには、１以上のコンテンツリストが記憶されているとする。また、コンテンツサーバ６００は、Ｗｅｂサーバとしても動作するとする。コンテンツサーバ６００の記憶部６２０には、複数のコンテンツリストが記憶されているとする。
【０２４８】
再び、図７を参照して、前述のステップＳ１４０において、ＮＯならば、ステップＳ１６０に進む。
【０２４９】
ステップＳ１６０では、制御部５１０が、リスト再生操作があるか否かを判定する。リスト再生操作とは、インターフェース操作Ｐにより、図８のメニュー画像Ｇ１００内のボタン画像ＢＧ１３０が選択状態にされ、かつ、押下処理される操作である。ステップＳ１６０において、ＹＥＳならば、ステップＳ６００に進む。一方、ステップＳ１６０において、ＮＯならば、後述するステップＳ１９０に進む。
【０２５０】
ステップＳ６００では、リスト再生処理が行なわれる。
図２７は、リスト再生処理のフローチャートである。図２７を参照して、ステップＳ６１０では、リスト一覧画像表示処理が行なわれる。リスト一覧画像表示処理では、制御部５１０が、記憶部５２０に記憶されているコンテンツリストに基づいて、ＶＤＰ５３２を利用して、リスト一覧画像を生成するための処理を行なう。なお、初期状態では、記憶部５２０には、コンテンツリストは記憶されていない。ここでは、コンテンツリストが記憶部５２０に記憶されてない状態で生成されるリスト一覧画像は、以下のリスト一覧画像Ｇ５００であるとする。
【０２５１】
図２８は、一例としてのリスト一覧画像Ｇ５００を示す図である。図２８を参照して、リスト一覧画像Ｇ５００には、リスト情報表示画像Ｇ５１０が配置される。リスト情報表示画像Ｇ５１０には、コンテンツリストの情報が表示される。以下においては、コンテンツリストの情報を、コンテンツリスト情報ともいう。なお、リスト一覧画像Ｇ５００は、コンテンツリストがない状態で、生成された画像であるので、リスト情報表示画像Ｇ５１０には、コンテンツリストの情報が表示されていない。枠ＳＲ１００は、インターフェース操作Ｐにより、リスト情報表示画像Ｇ５１０内において、上および下のいずれかに移動させることが可能である。リスト情報表示画像Ｇ５１０は、インターフェース操作Ｐにより、枠ＳＲ１００が配置された位置のコンテンツリストの情報に対し、後述する処理を行なうための画像である。
【０２５２】
リスト一覧画像Ｇ５００には、さらに、ボタン画像ＢＧ５９２，ＢＧ５９３，ＢＧ５９４，ＢＧ５９５，ＢＧ５９６，ＢＧ５９９が配置される。ボタン画像ＢＧ５９２は、インターフェース操作Ｐで押下処理されることにより、コンテンツリストを取得するためのリスト取得Ｗｅｂ画像を表示させるためのボタン画像である。ボタン画像ＢＧ５９３は、インターフェース操作Ｐで押下処理されることにより、コンテンツリストを追加するための画像を表示部５３０に表示させるためのボタン画像である。ボタン画像ＢＧ５９４は、インターフェース操作Ｐで押下処理されることにより、コンテンツリストを編集するためのボタン画像である。ボタン画像ＢＧ５９５は、インターフェース操作Ｐで押下処理されることにより、コンテンツリストの詳細を表示するためのボタン画像である。ボタン画像ＢＧ５９６は、インターフェース操作Ｐで押下処理されることにより、コンテンツリストに基づいて、後述する再生処理を行なうためのボタン画像である。ボタン画像ＢＧ５９９は、インターフェース操作Ｐで押下処理されることにより、表示部５３０から、リスト一覧画像を消去するためのボタン画像である。
【０２５３】
リスト一覧画像Ｇ５００には、さらに、ボタン画像ＢＧ５２２，ＢＧ５２４，ＢＧ５３２，ＢＧ５３４が配置される。これらのボタン画像についての詳細は後述する。
【０２５４】
再び、図２７を参照して、制御部５１０は、生成されたリスト一覧画像Ｇ５００を、ＶＤＰ５３２を利用して、表示部５３０に表示させる。その後、ステップＳ６１２に進む。
【０２５５】
ステップＳ６１２では、制御部５１０が、リスト取得Ｗｅｂ画像表示操作があるか否かを判定する。ここで、リスト取得Ｗｅｂ画像表示操作とは、インターフェース操作Ｐにより、ボタン画像ＢＧ５９２が押下処理される操作である。ステップＳ６１２において、ＹＥＳならば、ステップＳ６２０に進む。一方、ステップＳ６１２において、ＮＯならば、再度、ステップＳ６１２の処理が行なわれる。
【０２５６】
ステップＳ６２０では、リスト取得Ｗｅｂ画像表示処理が行なわれる。リスト取得Ｗｅｂ画像表示処理では、制御部５１０が、Ｗｅｂブラウザを使用して、ネットワーク７０に接続されている、Ｗｅｂサーバとしてのコンテンツサーバ６００にアクセスしたとする。この場合、以下のリスト取得Ｗｅｂ画像ＬＧ６００が、表示部５３０に表示される。
【０２５７】
図２９は、リスト取得Ｗｅｂ画像ＬＧ６００を示す図である。図２９を参照して、リスト取得Ｗｅｂ画像ＬＧ６００には、一例として、取得リスト一覧画像ＬＧ６１０，ＬＧ６２０，ＬＧ６３０が配置される。取得リスト一覧画像ＬＧ６１０，ＬＧ６２０，ＬＧ６３０の各々には、複数のコンテンツリスト情報が表示される。
【０２５８】
取得リスト一覧画像ＬＧ６１０は、たとえば、全てのジャンルにおいて、ダウンロードの数が多い、人気の高いコンテンツリストのベスト３を示す。リスト名が「連続ドラマ「ＡＢＣ」」のコンテンツリストに記述される情報は、たとえば、以下の図３０に示される。
【０２５９】
図３０は、一例としてのコンテンツリストに記述される情報を示す図である。図３０を参照して、コンテンツリストには、複数のコンテンツ情報が記述される。複数のコンテンツ情報の各々は、番号で管理される。複数のコンテンツ情報の各々は、番組を録画した録画データのメタ情報を含む。詳細は後述するが、コンテンツ再生装置は、コンテンツリストに基づいて、複数の録画データを順次再生する。具体的には、コンテンツ再生装置は、コンテンツリストの、番号“１”，“２”，“３”，・・・，という順で、対応する番組を録画した録画データを順次再生する。
【０２６０】
図３０において、「タイトル」とは、番組のタイトルである。「再生時間」とは、対応する番組の再生時間を示す。「再生時間」が、たとえば、０１ｈ１０ｍの場合、再生時間は、１時間１０分であることを示す。「再生箇所」とは、対応する番組を録画した録画データの再生する部分を示す。「再生箇所」の欄が空白の場合、コンテンツ再生装置は、対応する番組の録画データの最初から最後までを再生する。「再生箇所」が、たとえば、０ｈ１０ｍ−０ｈ５０ｍの場合、録画データにおいて、最初から１０分経過した時点から、最初から５０分経過した時点までの期間が再生される。すなわち、コンテンツリストに記述される複数のコンテンツ情報の各々は、対応する録画データの再生規則の情報を含む。すなわち、コンテンツリストには、コンテンツとしての複数の録画データの再生規則が記述される。
【０２６１】
録画データに対し「再生箇所」が設定されるのは、たとえば、録画データに基づく動画像において、ユーザが見たい見所のシーンのみを、ユーザが短時間で視聴できるようにするためである。たとえば、連続ドラマ番組では、各番組の録画データに対し、ドラマの重要な部分に対し「再生箇所」を設定することで、連続ドラマ番組の内容をユーザに短時間で把握させることが可能となる。また、「再生箇所」は、後述する処理により、ユーザが自由に設定可能である。そのため、「再生箇所」を設定することで、ユーザのお気に入りの部分の動画像の部分のみを、ユーザに視聴させることができる。
【０２６２】
再び、図２９を参照して、取得リスト一覧画像ＬＧ６２０は、たとえば、ドラマのジャンルにおいて、ダウンロードの数が多い、人気の高いコンテンツリストのベスト３を示す。取得リスト一覧画像ＬＧ６３０は、たとえば、映画のジャンルにおいて、ダウンロードの数が多い、人気の高いコンテンツリストのベスト３を示す。枠ＳＲ６００は、インターフェース操作Ｐにより、取得リスト一覧画像ＬＧ６１０，ＬＧ６２０，ＬＧ６３０の各々において、上および下のいずれかに移動させることが可能である。取得リスト一覧画像ＬＧ６１０，ＬＧ６２０，ＬＧ６３０の各々は、インターフェース操作Ｐにより、枠ＳＲ６００が配置された位置のコンテンツリストを取得するための画像である。
【０２６３】
リスト取得Ｗｅｂ画像ＬＧ６００には、さらに、ボタン画像ＬＢＧ６９２，ＬＢＧ６９４が配置される。ボタン画像ＬＢＧ６９２は、インターフェース操作Ｐで押下処理されることにより、取得リスト一覧画像ＬＧ６１０，ＬＧ６２０，ＬＧ６３０のいずれかにおいて、枠ＳＲ６００が配置された位置のコンテンツリストを取得するためのボタン画像である。ボタン画像ＬＢＧ６９４は、インターフェース操作Ｐで押下処理されることにより、リスト取得Ｗｅｂ画像ＬＧ６００を、表示部５３０から消去するためのボタン画像である。
【０２６４】
再び、図２７を参照して、ステップＳ６２０の処理が終了すると、ステップＳ６２２に進む。
【０２６５】
ステップＳ６２２では、制御部５１０が、リスト取得操作があるか否かを判定する。ここで、リスト取得操作とは、表示部５３０に表示されたコンテンツリスト情報に対応するコンテンツリストを取得するための操作である。具体的には、リスト取得操作は、インターフェース操作Ｐにより、取得リスト一覧画像ＬＧ６１０，ＬＧ６２０，ＬＧ６３０のいずれかのコンテンツリスト情報が枠ＳＲ６００により選択された状態において、インターフェース操作Ｐにより、ボタン画像ＬＢＧ６９２が押下処理される操作である。なお、リスト取得操作において、一度に、複数のコンテンツリスト情報が選択されてもよい。ステップＳ６２２において、ＹＥＳならば、ステップＳ６２４に進む。一方、ステップＳ６２２において、ＮＯならば、再度、ステップＳ６２０の処理が行なわれる。
【０２６６】
ステップＳ６２４では、リスト取得処理が行なわれる。リスト取得処理では、制御部５１０が、Ｗｅｂサーバとしてのコンテンツサーバ６００へ、リスト要求信号を送信する。リスト要求信号は、リスト取得操作により選択されたコンテンツリストを要求するための信号である。コンテンツサーバ６００は、リスト要求信号を受信すると、要求されたコンテンツリストを、コンテンツ再生装置５００Ａへ送信する。コンテンツ再生装置５００Ａの制御部５１０は、コンテンツリストを受信すると、受信したコンテンツリストを、記憶部５２０に記憶させる。
【０２６７】
なお、コンテンツリストを送信する装置は、コンテンツサーバ６００に限定されず、コンテンツリストを記憶している他の装置であってもよい。たとえば、コンテンツ再生装置５００Ｂがコンテンツリストを記憶している場合、コンテンツ再生装置５００Ａは、コンテンツ再生装置５００Ｂに対し、前述のリスト取得処理を行なうことにより、コンテンツ再生装置５００Ｂからコンテンツリストを取得することになる。
【０２６８】
なお、前述のリスト取得操作において、一度に、複数のコンテンツリスト情報が選択された場合、コンテンツ再生装置５００Ａの制御部５１０は、コンテンツサーバ６００から、選択された複数のコンテンツリストを受信する。そして、コンテンツ再生装置５００Ａの制御部５１０は、複数のコンテンツリストを受信すると、受信した複数のコンテンツリストを、記憶部５２０に記憶させる。その後、ステップＳ６２６に進む。
【０２６９】
なお、ステップＳ６１０の処理の後、ステップＳ６１２においてＹＥＳと判定されるまでの間に、リスト追加操作があると、制御部５１０は、ＶＤＰ５３２を利用して、リスト追加画像ＷＧ３００を生成し、生成されたリスト追加画像ＷＧ３００を、ＶＤＰ５３２を利用して、表示部５３０に表示させる。ここで、リスト追加操作とは、インターフェース操作Ｐにより、ボタン画像ＢＧ５９３が押下処理される操作である。
【０２７０】
図３１は、一例としてのリスト追加画像ＷＧ３００を示す図である。図３１を参照して、リスト追加画像ＷＧ３００には、パス名入力画像ＷＧ３１０が配置される。パス名入力画像ＷＧ３１０は、インターフェース操作Ｐにより、ホームネットワーク５０１内の他のコンテンツ再生装置の記憶部５２０に記憶されているコンテンツリストのパス名が入力される画像である。パス名入力画像ＷＧ３１０に記述されているパス名は、たとえば、コンテンツ再生装置５００Ｂの記憶部５２０の共有フォルダに記憶されているコンテンツリストのパス名であるとする。
【０２７１】
リスト追加画像ＷＧ３００には、さらに、ボタン画像ＷＢＧ３９２，ＷＢＧ３９４が配置される。ボタン画像ＷＢＧ３９２は、パス名入力画像ＷＧ３１０にコンテンツリストのパス名が入力された状態で、インターフェース操作Ｐで押下処理されることにより、入力されたパス名のコンテンツリスト情報を取得するためのボタン画像である。なお、コンテンツリスト情報には、コンテンツリストのパス名も含まれる。ボタン画像ＷＢＧ３９４は、インターフェース操作Ｐで押下処理されることにより、表示部５３０からリスト追加画像ＷＧ３００を消去するためのボタン画像である。
【０２７２】
パス名入力画像ＷＧ３１０にコンテンツリストのパス名が入力された状態で、インターフェース操作Ｐで押下処理されると、制御部５１０は、コンテンツ再生装置５００Ｂから、入力されたパス名のコンテンツリスト情報を要求するための要求信号を、コンテンツ再生装置５００Ｂへ送信する。コンテンツ再生装置５００Ｂは、要求信号を受信すると、要求されたコンテンツリスト情報を、コンテンツ再生装置５００Ａへ送信する。コンテンツ再生装置５００Ａの制御部５１０は、コンテンツリスト情報を受信すると、受信したコンテンツリスト情報を、コンテンツ再生装置５００Ｂの端末名に対応づけて記憶部５２０に記憶させる。これにより、他のコンテンツ再生装置の記憶部５２０に記憶されているコンテンツリスト情報を取得することができる。なお、パス名入力画像ＷＧ３１０には、コンテンツリストのパス名の代わりにコンテンツリストのＷｅｂアドレスが入力されてもよい。この場合、Ｗｅｂアドレスに対応するサーバに記憶されたコンテンツリスト情報を取得することができる。
【０２７３】
また、ステップＳ６１０の処理の後、ステップＳ６１２においてＹＥＳと判定されるまでの間に、リスト追加操作があると、制御部５１０は、ＶＤＰ５３２を利用して、以下のリスト作成画像Ｇ６００を生成してもよい。この場合、生成されたリスト作成画像Ｇ６００を、ＶＤＰ５３２を利用して、表示部５３０に表示させる。ここで、リスト追加操作とは、前述したように、インターフェース操作Ｐにより、ボタン画像ＢＧ５９３が押下処理される操作である。
【０２７４】
図３２は、一例としてのリスト作成画像Ｇ６００を示す図である。図３２を参照して、リスト作成画像Ｇ６００には、リスト作成画像Ｇ６１０が配置される。リスト作成画像Ｇ６１０は、インターフェース操作Ｐにより、コンテンツリストを作成するための画像である。なお、リスト作成画像Ｇ６１０内の「再生時間」および「再生箇所」は、図３０で説明したのと同様なので詳細な説明は繰り返さない。編集枠ＥＲ２００は、インターフェース操作Ｐにより、リスト作成画像Ｇ６１０内において、上、下、左および右のいずれかに移動させることが可能である。リスト作成画像Ｇ６１０は、インターフェース操作Ｐにより、編集枠ＥＲ２００が配置された位置にコンテンツ情報を入力可能な画像である。
【０２７５】
リスト作成画像Ｇ６００には、さらに、ボタン画像ＢＧ６２２，ＢＧ６２４，ＢＧ６３２，ＢＧ６３４と、ボタン画像ＢＧ６９２，ＢＧ６９４とが配置される。
【０２７６】
ボタン画像ＢＧ６２２は、インターフェース操作Ｐで押下処理されることにより、リスト作成画像Ｇ６１０に表示されるコンテンツ情報を、下にスクロール表示させるためのボタン画像である。ボタン画像ＢＧ６２４は、インターフェース操作Ｐで押下処理されることにより、リスト作成画像Ｇ６１０に表示されるコンテンツ情報を、上にスクロール表示させるためのボタン画像である。ボタン画像ＢＧ６３２は、インターフェース操作Ｐで押下処理されることにより、リスト作成画像Ｇ６１０に表示されるコンテンツ情報を、右にスクロール表示させるためのボタン画像である。ボタン画像ＢＧ６３４は、インターフェース操作Ｐで押下処理されることにより、リスト作成画像Ｇ６１０に表示されるコンテンツ情報を、左にスクロール表示させるためのボタン画像である。
【０２７７】
ボタン画像ＢＧ６９２は、リスト作成画像Ｇ６１０にコンテンツ情報が入力された状態で、インターフェース操作Ｐで押下処理されることにより、コンテンツリストの作成処理を終了させ、コンテンツリストを作成するためのボタン画像である。ボタン画像ＢＧ６９４は、インターフェース操作Ｐで押下処理されることにより、コンテンツリストの作成処理を終了させるためのボタン画像である。
【０２７８】
リスト作成画像Ｇ６１０にコンテンツ情報が入力された状態で、ボタン画像ＢＧ６９２がインターフェース操作Ｐで押下処理されると、制御部５１０は、リスト作成画像Ｇ６１０に表示されているコンテンツ情報を記述したコンテンツリストを生成する。そして、制御部５１０は、生成したコンテンツリストを、記憶部５２０に記憶させる。これにより、記憶部５２０に、生成したコンテンツリストが記憶される。また、インターフェース操作Ｐにより、ボタン画像ＢＧ６９４が押下処理されると、制御部５１０は、表示部５３０から、リスト作成画像Ｇ６００を消去させ、表示部５３０に、図２８のリスト一覧画像Ｇ５００を表示させるための処理を行なう。
【０２７９】
再び、図２７を参照して、ステップＳ６２４の処理の後、ステップＳ６２６に進む。
ステップＳ６２６では、リスト一覧画像表示処理Ａが行なわれる。リスト一覧画像表示処理Ａでは、制御部５１０が、記憶部５２０に記憶されている１以上のコンテンツリストおよびコンテンツリスト情報に基づいて、ＶＤＰ５３２を利用して、以下のリスト一覧画像Ｇ５００Ａを生成するための処理を行なう。そして、制御部５１０は、生成されたリスト一覧画像Ｇ５００Ａを、ＶＤＰ５３２を利用して、表示部５３０に表示させる。その後、後述するステップＳ６２８に進む。
【０２８０】
図３３は、一例としてのリスト一覧画像Ｇ５００Ａを示す図である。図３３を参照して、リスト一覧画像Ｇ５００Ａは、図２８のリスト一覧画像Ｇ５００と比較して、リスト情報表示画像Ｇ５１０の代わりにリスト情報表示画像Ｇ５１０Ａが配置される点が異なる。それ以外は、リスト一覧画像Ｇ５００と同様なので詳細な説明は繰り返さない。リスト情報表示画像Ｇ５１０Ａには、複数のコンテンツリスト情報が表示される。リスト情報表示画像Ｇ５１０Ａ内の、たとえば、番号“１”のコンテンツリスト情報は、前述のリスト取得操作により、コンテンツサーバ６００から受信し、記憶部５２０に記憶されたコンテンツリストに基づく情報である。リスト情報表示画像Ｇ５１０Ａ内の、たとえば、番号“３”のコンテンツリスト情報は、前述のリスト追加操作により、コンテンツ再生装置５００Ｂから受信し、記憶部５２０に記憶されたコンテンツリスト情報である。
【０２８１】
なお、枠ＳＲ１００は、インターフェース操作Ｐにより、リスト情報表示画像Ｇ５１０Ａ内において、上および下のいずれかに移動させることが可能である。リスト情報表示画像Ｇ５１０Ａにおいて、「リスト名」とは、対応するコンテンツリストの名称である。「ジャンル」は、対応するコンテンツリストのジャンルである。「総再生時間」とは、コンテンツリストに記述されている全てのコンテンツの再生時間の合計時間である。「端末名」とは、コンテンツリストが記憶されている端末名である。「パス名」とは、コンテンツリストのパス名である。
【０２８２】
なお、コンテンツリスト情報がインターネット等から取得された情報である場合、「パス名」の欄には、Ｗｅｂアドレスが表示される。この場合、「端末名」の欄には、何も表示されない。
【０２８３】
ボタン画像ＢＧ５２２は、インターフェース操作Ｐで押下処理されることにより、リスト情報表示画像Ｇ５１０Ａに表示されるコンテンツリスト情報を、下にスクロール表示させるためのボタン画像である。ボタン画像ＢＧ５２４は、インターフェース操作Ｐで押下処理されることにより、リスト情報表示画像Ｇ５１０Ａに表示されるコンテンツリスト情報を、上にスクロール表示させるためのボタン画像である。ボタン画像ＢＧ５３２は、インターフェース操作Ｐで押下処理されることにより、リスト情報表示画像Ｇ５１０Ａに表示されるコンテンツリスト情報を、右にスクロール表示させるためのボタン画像である。ボタン画像ＢＧ５３４は、インターフェース操作Ｐで押下処理されることにより、リスト情報表示画像Ｇ５１０Ａに表示されるコンテンツリスト情報を、左にスクロール表示させるためのボタン画像である。
【０２８４】
ここで、表示部５３０に、リスト一覧画像Ｇ５００Ａが表示され、かつ、枠ＳＲ１００が表示されている状態で、ボタン画像ＢＧ５９４がインターフェース操作Ｐで押下処理されると、制御部５１０は、枠ＳＲ１００内のコンテンツリスト情報に基づいて、ＶＤＰ５３２を利用して、リスト編集画像Ｇ７００を生成し、生成されたリスト編集画像Ｇ７００を、ＶＤＰ５３２を利用して、表示部５３０に表示させる。
【０２８５】
図３４は、一例としてのリスト編集画像Ｇ７００を示す図である。図３４を参照して、リスト編集画像Ｇ７００には、編集画像Ｇ７１０が配置される。編集画像Ｇ７１０には、図３３の枠ＳＲ１００内のコンテンツリスト情報に対応するコンテンツリストに記述されている複数のコンテンツ情報が表示される。編集画像Ｇ７１０は、インターフェース操作Ｐにより、コンテンツ情報を編集するための画像である。なお、編集画像Ｇ７１０内の「再生時間」および「再生箇所」は、図３０で説明したのと同様なので詳細な説明は繰り返さない。したがって、ユーザは、インターフェース操作Ｐにより、「再生箇所」を任意に設定可能である。このように、録画データに「再生箇所」を設定することで、ユーザは、お気に入りの部分の動画像の部分のみを、視聴することができる。
【０２８６】
編集枠ＥＲ３００は、インターフェース操作Ｐにより、編集画像Ｇ７１０内において、上、下、左および右のいずれかに移動させることが可能である。編集画像Ｇ７１０は、インターフェース操作Ｐにより、編集枠ＥＲ３００が配置された位置のコンテンツ情報を編集可能な画像である。
【０２８７】
リスト編集画像Ｇ７００には、さらに、ボタン画像ＢＧ７２２，ＢＧ７２４，ＢＧ７３２，ＢＧ７３４と、ボタン画像ＢＧ７９２，ＢＧ７９４とが配置される。
【０２８８】
ボタン画像ＢＧ７２２は、インターフェース操作Ｐで押下処理されることにより、編集画像Ｇ７１０に表示されるコンテンツ情報を、下にスクロール表示させるためのボタン画像である。ボタン画像ＢＧ７２４は、インターフェース操作Ｐで押下処理されることにより、編集画像Ｇ７１０に表示されるコンテンツ情報を、上にスクロール表示させるためのボタン画像である。ボタン画像ＢＧ７３２は、インターフェース操作Ｐで押下処理されることにより、編集画像Ｇ７１０に表示されるコンテンツ情報を、右にスクロール表示させるためのボタン画像である。ボタン画像ＢＧ７３４は、インターフェース操作Ｐで押下処理されることにより、編集画像Ｇ７１０に表示されるコンテンツ情報を、左にスクロール表示させるためのボタン画像である。
【０２８９】
ボタン画像ＢＧ７９２は、インターフェース操作Ｐで押下処理されることにより、コンテンツ情報の編集を終了させ、編集されたコンテンツ情報を、対応するコンテンツリストに反映させるためのボタン画像である。ボタン画像ＢＧ７９４は、インターフェース操作Ｐで押下処理されることにより、コンテンツ情報の編集処理を終了させるためのボタン画像である。
【０２９０】
編集画像Ｇ７１０内のコンテンツ情報が編集された状態で、ボタン画像ＢＧ７９２がインターフェース操作Ｐで押下処理されると、制御部５１０は、編集されたコンテンツ情報に基づいて、記憶部５２０に記憶されている、対応するコンテンツリストを更新する。また、インターフェース操作Ｐにより、ボタン画像ＢＧ７９４が押下処理されると、制御部５１０は、表示部５３０から、リスト編集画像Ｇ７００を消去させ、表示部５３０に、図３３のリスト一覧画像Ｇ５００Ａを表示させるための処理を行なう。
【０２９１】
また、表示部５３０に、リスト一覧画像Ｇ５００Ａが表示され、かつ、枠ＳＲ１００が表示されている状態で、ボタン画像ＢＧ５９５がインターフェース操作Ｐで押下処理されると、制御部５１０は、枠ＳＲ１００内のコンテンツリスト情報に基づいて、ＶＤＰ５３２を利用して、リスト詳細画像Ｇ８００を生成し、生成されたリスト詳細画像Ｇ８００を、ＶＤＰ５３２を利用して、表示部５３０に表示させる。
【０２９２】
図３５は、一例としてのリスト詳細画像Ｇ８００を示す図である。図３５を参照して、リスト詳細画像Ｇ８００には、詳細情報表示画像Ｇ８１０が配置される。リスト詳細画像Ｇ８００には、図３３の枠ＳＲ１００内のコンテンツリスト情報に対応するコンテンツリストに記述されている複数のコンテンツ情報が表示される。詳細情報表示画像Ｇ８１０は、インターフェース操作Ｐにより、コンテンツ情報に対応する録画データを再生するための画像である。なお、詳細情報表示画像Ｇ８１０内の「再生時間」および「再生箇所」は、図３０で説明したのと同様なので詳細な説明は繰り返さない。
【０２９３】
枠ＰＲ４００は、インターフェース操作Ｐにより、詳細情報表示画像Ｇ８１０内において、上および下のいずれかに移動させることが可能である。なお、枠ＰＲ４００は、初期状態では、番号“１”のコンテンツ情報の位置に配置される。詳細情報表示画像Ｇ８１０は、インターフェース操作Ｐにより、枠ＰＲ４００が配置された位置のコンテンツ情報に対応する録画データを再生するための画像である。
【０２９４】
リスト詳細画像Ｇ８００には、さらに、ボタン画像ＢＧ８２２，ＢＧ８２４，ＢＧ８３２，ＢＧ８３４と、ボタン画像ＢＧ８９２，ＢＧ８９４とが配置される。
【０２９５】
ボタン画像ＢＧ８２２は、インターフェース操作Ｐで押下処理されることにより、詳細情報表示画像Ｇ８１０に表示されるコンテンツ情報を、下にスクロール表示させるためのボタン画像である。ボタン画像ＢＧ８２４は、インターフェース操作Ｐで押下処理されることにより、詳細情報表示画像Ｇ８１０に表示されるコンテンツ情報を、上にスクロール表示させるためのボタン画像である。ボタン画像ＢＧ８３２は、インターフェース操作Ｐで押下処理されることにより、詳細情報表示画像Ｇ８１０に表示されるコンテンツ情報を、右にスクロール表示させるためのボタン画像である。ボタン画像ＢＧ８３４は、インターフェース操作Ｐで押下処理されることにより、詳細情報表示画像Ｇ８１０に表示されるコンテンツ情報を、左にスクロール表示させるためのボタン画像である。
【０２９６】
ボタン画像ＢＧ８９２は、インターフェース操作Ｐで押下処理されることにより、詳細情報表示画像Ｇ８１０内において、枠ＰＲ４００が配置された位置のコンテンツ情報に対応する録画データを再生するためのボタン画像である。ボタン画像ＢＧ８９４は、インターフェース操作Ｐで押下処理されることにより、リスト詳細画像Ｇ８００を、表示部５３０から消去するためのボタン画像である。したがって、インターフェース操作Ｐにより、ボタン画像ＢＧ８９４が押下処理されると、制御部５１０は、表示部５３０から、リスト詳細画像Ｇ８００を消去させ、表示部５３０に、図３３のリスト一覧画像Ｇ５００Ａを表示させるための処理を行なう。
【０２９７】
再び、図２７を参照して、ステップＳ６２６の処理の後、ステップＳ６２８に進む。
ステップＳ６２８では、制御部５１０が、リスト再生操作があるか否かを判定する。ここで、リスト再生操作とは、リスト詳細画像（たとえば、図３５のリスト詳細画像Ｇ８００）を表示させるのに使用されたコンテンツリスト（以下、選択コンテンツリストともいう）に記述された、複数の録画データの再生規則に従って、複数の録画データを、順次、再生するための操作である。具体的には、リスト再生操作は、インターフェース操作Ｐにより、表示部５３０に、図３５のリスト詳細画像Ｇ８００が表示され、かつ、詳細情報表示画像Ｇ８１０内のコンテンツ情報が枠ＰＲ４００により選択された状態において、インターフェース操作Ｐにより、ボタン画像ＢＧ８９２が押下処理される操作である。リスト再生操作において、枠ＰＲ４００により、詳細情報表示画像Ｇ８１０内の番号“１”のコンテンツ情報が選択されている場合、番号“１”，“２”，“３”，・・・，の順で、対応する録画データが、後述する処理により、順次、再生される。
【０２９８】
なお、リスト再生操作において、枠ＰＲ４００により、詳細情報表示画像Ｇ８１０内の番号“ｐ（自然数）”のコンテンツ情報が選択されている場合、番号“ｐ”，“ｐ＋１”，“ｐ＋２”，・・・，の順で、対応する録画データが、後述する処理により、順次、再生される。本実施の形態では、リスト名が「ドラマ名場面集「ＤＤＤ」」というコンテンツリストに基づいて、複数の録画データが順次再生されるとする。この場合、リスト名が「ドラマ名場面集「ＤＤＤ」」というコンテンツリストが、選択コンテンツリストとなる。
【０２９９】
また、リスト再生操作は、インターフェース操作Ｐにより、表示部５３０に、図３３のリスト一覧画像Ｇ５００Ａが表示され、かつ、リスト情報表示画像Ｇ５１０Ａ内のコンテンツリスト情報が枠ＳＲ１００により選択された状態において、インターフェース操作Ｐにより、ボタン画像ＢＧ５９６が押下処理される操作でもある。この場合、枠ＳＲ１００により選択されているコンテンツリスト情報に対応するコンテンツリストに記述された複数の録画データの再生規則に従って、番号“１”，“２”，“３”，・・・，の順で、対応する録画データが、後述する処理により、順次、再生される。この場合、枠ＳＲ１００により選択されているコンテンツリスト情報に対応するコンテンツリストが選択コンテンツリストとなる。ステップＳ６２８において、ＹＥＳならば、ステップＳ６３０に進む。一方、ステップＳ６２８において、ＮＯならば、再度、ステップＳ６２８の処理が行なわれる。以下においては、選択コンテンツリストに記述されている１番目のコンテンツ情報（たとえば、図３５のリスト詳細画像Ｇ８００内の詳細情報表示画像Ｇ８１０の番号“１”のコンテンツ情報）に対応する録画データを、１番目リスト再生録画データともいう。また、１番目リスト再生録画データのメタ情報を、第１メタ情報ともいう。
【０３００】
ステップＳ６３０では、検索処理Ａが行なわれる。
図３６は、検索処理Ａのフローチャートである。図３６を参照して、ステップＳ６３１では、ｍ（自然数）番目のメタ情報ファイルの読出しが行なわれる。ここで、ｍ番目のメタ情報ファイルとは、記憶部５２０に記憶されている、図６のメタ情報パス名テーブルＴ２０において、番号“ｍ”に対応するパス名の示す場所に記憶されているメタ情報ファイルである。なお、ｍの初期値は、“１”であるとする。
【０３０１】
たとえば、ｍが“１”の場合、制御部５１０が、端末名がＰＣ５００Ａであるコンテンツ再生装置５００Ａの記憶部５２０において、番号“１”に対応するパス名の示す場所に記憶されているメタ情報ファイルを読み出す。以下においては、ステップＳ６３１の処理により読み出されたメタ情報ファイルを、読出しメタ情報ファイルともいう。ここで、読出しメタ情報ファイルに記述されている複数のメタ情報は、たとえば、図１５に示すような状態であるとする。その後、ステップＳ６３２に進む。
【０３０２】
ステップＳ６３２では、類似評価点を算出するための類似評価点算出処理Ａが行なわれる。ここで、類似評価点とは、第１メタ情報と、読出しメタ情報ファイルに記述されている複数のメタ情報の各々との類似度を示す点数である。なお、類似評価点が高いほど、類似度は高いとする。
【０３０３】
類似評価点算出処理Ａでは、制御部５１０が、前述の図２３の類似評価点算出テーブルＴ３００に基づいて、第１メタ情報と、読出しメタ情報ファイルに記述されている複数のメタ情報の各々とを比較する比較処理を行ない、類似評価点を算出する。類似評価点の算出方法は、ステップＳ４４２の類似評価点算出処理と同様なので詳細な説明は繰り返さない。これにより、読出しメタ情報ファイルの全てのメタ情報において、複数のメタ情報の各々に対応する類似評価点が算出される。その後、ステップＳ６３３に進む。
【０３０４】
ステップＳ６３３では、検索評価リスト記述処理Ａが行なわれる。検索評価リスト記述処理Ａは、検索評価リストＡに情報を記述する処理である。ここで、検索評価リストＡとは、ステップＳ６３２の類似評価点算出処理Ａにおいて算出された、全ての類似評価点の各々を、対応する録画データのメタ情報の一部とともに記述するためのリストである。検索評価リストＡは、記憶部５２０に記憶されている。なお、初期状態では、検索評価リストＡには、何も記述されていない。
【０３０５】
検索評価リスト記述処理Ａでは、制御部５１０が、ステップＳ６３２の類似評価点算出処理Ａにおいて算出された、全ての類似評価点の各々を、対応する録画データのメタ情報の一部および対応する端末名とともに、検索評価リストＡに記述する。これにより、検索評価リストＡに記述された情報は、たとえば、図２４のようになる。
【０３０６】
ステップＳ６３３の処理が終了すると、ステップＳ６３４に進む。
ステップＳ６３４では、全てのメタ情報ファイルの読出しが終了したか否かが判定される。具体的には、制御部５１０が、ｍの値が、記憶部５２０に記憶されているメタ情報パス名テーブルＴ２０（図６参照）に示されるパス名の数と一致するか否かを判定する。なお、メタ情報パス名テーブルＴ２０に示されるパス名の数は、“３”である。ステップＳ６３４において、ＹＥＳならば、ステップＳ６３４Ａに進む。
【０３０７】
ステップＳ６３４Ａでは、制御部５１０が、ｍの値を１に設定する。その後、この検索処理Ａは終了し、図２７の再生メニュー表示処理に戻り、ステップＳ６３０の次の後述するステップＳ６３６に進む。一方、ステップＳ６３４において、ＮＯならば、ステップＳ６３５に進む。
【０３０８】
ステップＳ６３５では、制御部５１０が、ｍの値を１インクリメントする。その後、再度、ステップＳ６３１の処理が行なわれる。ここでは、ステップＳ６３５の処理の後、ｍの値が“２”となったとして、ステップＳ６３１で行なわれる処理を説明する。
【０３０９】
ステップＳ６３１では、ｍが“２”であるので、制御部５１０は、通信部５６２および通信部５０を介して、端末名がＰＣ５００Ｂであるコンテンツ再生装置５００Ｂにデータアクセスする。そして、制御部５１０は、コンテンツ再生装置５００Ｂの記憶部５２０において、メタ情報パス名テーブルＴ２０の番号“２”に対応するパス名の示す場所に記憶されているメタ情報ファイルを読み出す。その後、前述したステップＳ６３２，Ｓ６３３の処理が行なわれる。ステップＳ６３３の処理により、検索評価リストＡに記述された情報は、たとえば、前述の図２５のようになる。
【０３１０】
その後、前述のステップＳ６３４の処理が行なわれる。ステップＳ６３４において、ＮＯならば、ステップＳ６３５の処理を行なった後、再度、ステップＳ６３１の処理が行なわれる。
【０３１１】
そして、ステップＳ６３４でＹＥＳと判定されるまで、ステップＳ６３１，ステップＳ６３２，ステップＳ６３３，ステップＳ６３５の処理が繰り返される。なお、ステップＳ６３１において、制御部５１０が、コンテンツ再生装置５００Ｃの記憶部５２０に記憶されているメタ情報ファイルの読み出す処理は、ｍが“２”である場合の、前述したステップＳ６３１の処理と同様なので詳細な説明は繰り返さない。
【０３１２】
ステップＳ６３４において、ＹＥＳと判定されると、前述したステップＳ６３４Ａにて、制御部５１０が、ｍの値を１に設定した後、この検索処理Ａは終了し、図２７のリスト再生処理に戻り、ステップＳ６３０の次のステップＳ６３６に進む。
【０３１３】
ステップＳ６３６では、１番目リスト再生録画データがあるか否かが判定される。具体的には、制御部５１０が、記憶部５２０に記憶されている検索評価リストＡにおいて、１番目録画データ判定基準点以上の類似評価点の録画データの情報があるか否かを判定する。ここで、１番目録画データ判定基準点とは、１番目リスト再生録画データがあるか否かを判定するための基準点である。１番目録画データ判定基準点は、たとえば、４であるとする。なお、１番目録画データ判定基準点以上の類似評価点が算出された録画データがなければ、１番目リスト再生録画データはなしと判定される。また、１番目録画データ判定基準点以上の類似評価点が算出された録画データが複数ある場合は、制御部５１０により、当該複数の録画データのうち、最も類似評価点の高い録画データが１番目リスト再生録画データと判定される。ステップＳ６３６において、ＹＥＳならば、ステップＳ６３７に進む。一方、ステップＳ６３６において、ＮＯならば、後述するステップＳ６６０に進む。
【０３１４】
ステップＳ６３７では、再生処理が行なわれる。再生処理では、制御部５１０が、第１メタ情報に記述されている１番目リスト再生録画データのパス名を参照して、１番目リスト再生録画データを読み出す。ここでは、１番目リスト再生録画データは、たとえば、コンテンツ再生装置５００Ｂの記憶部５２０に記憶されているとする。したがって、制御部５１０は、通信部５６２および通信部５０を介して、コンテンツ再生装置５００Ｂの記憶部５２０から、１番目リスト再生録画データを読み出す。
【０３１５】
制御部５１０は、読み出した１番目リスト再生録画データにおいて、コンテンツ情報の再生箇所の情報に基づいて、１番目リスト再生録画データを再生する。たとえば、コンテンツ情報の再生箇所の情報が、図３５のリスト詳細画像Ｇ８００内の詳細情報表示画像Ｇ８１０の番号“１”に対応する情報であるとする。この場合、制御部５１０は、１番目リスト再生録画データにおいて、最初の時点から、最初から３０分経過した時点までの期間の録画データに基づく動画像を、ＶＤＰ５３０を利用して、表示部５３０に表示させる。１番目リスト再生録画データの再生が終了すると、ステップＳ６３７Ａに進む。以下においては、再生が終了したリスト再生録画データを、再生済録画データともいう。
【０３１６】
ステップＳ６３７Ａでは、次の再生情報があるか否かが判定される。具体的には、制御部５１０が、選択コンテンツリストにおいて、次に再生する録画データのコンテンツ情報があるか否かを判定する。ステップＳ６３７Ａにおいて、ＹＥＳならば、ステップＳ６３７Ｂに進む。一方、ステップＳ６３７Ａにおいて、ＮＯならば、このリスト再生処理は終了し、図７のコンテンツ取扱い処理に戻り、再度、ステップＳ１１０の処理が行なわれる。
【０３１７】
ステップＳ６３７Ｂでは、再生済録画データの続きを再生するか否かが判定される。ステップＳ６３７Ｂで行なわれる処理は、ステップＳ４３４の処理と同様なので詳細な説明は繰り返さない。制御部５１０により、続き再生操作があると判定されると、ステップＳ６３７Ｂでは、ＹＥＳと判定されることになり、ステップＳ６４０に進む。制御部５１０により、続き再生終了操作があると判定されると、ステップＳ６３７Ｂでは、ＮＯと判定されることになり、このリスト再生処理は終了し、図７のコンテンツ取扱い処理に戻り、再度、ステップＳ１１０の処理が行なわれる。
【０３１８】
なお、リスト再生処理において、ステップＳ６３７Ｂの処理は行なわれなくてもよい。この場合、ステップＳ６３７Ａの処理の後、ステップＳ６４０の処理が行なわれる。この場合、続き再生操作を行なうといった手間から、ユーザを開放させることができる。
【０３１９】
以下においては、選択コンテンツリストに記述されているｋ番目のコンテンツ情報（たとえば、図３５のリスト詳細画像Ｇ８００内の詳細情報表示画像Ｇ８１０の番号“２”のコンテンツ情報）に対応する録画データをｋ番目リスト再生録画データともいう。またｋ番目リスト再生録画データのメタ情報を、ｋ番目メタ情報ともいう。
【０３２０】
ステップＳ６４０では、検索処理Ｂが行なわれる。
図３７は、検索処理Ｂのフローチャートである。図３７を参照して、ステップＳ６４１では、ｍ（自然数）番目のメタ情報ファイルの読出しが行なわれる。ここで、ｍ番目のメタ情報ファイルとは、記憶部５２０に記憶されている、図６のメタ情報パス名テーブルＴ２０において、番号“ｍ”に対応するパス名の示す場所に記憶されているメタ情報ファイルである。なお、ｍの値は、前述のステップＳ６３４でＹＥＳと判定されたことにより“１”に設定されている。
【０３２１】
ステップＳ６４１の処理は、ステップＳ６３１の処理と同様なので詳細な説明は繰り返さない。以下においては、ステップＳ６４１の処理により読み出されたメタ情報ファイルを、読出しメタ情報ファイルともいう。ここで、読出しメタ情報ファイルに記述されている複数のメタ情報は、たとえば、図１５に示すような状態であるとする。その後、ステップＳ６４２に進む。
【０３２２】
ステップＳ６４２では、類似評価点を算出するための類似評価点算出処理Ｂが行なわれる。ここで、類似評価点とは、ｋ番目メタ情報と、読出しメタ情報ファイルに記述されている複数のメタ情報の各々との類似度を示す点数である。なお、類似評価点が高いほど、類似度は高いとする。
【０３２３】
類似評価点算出処理Ｂでは、制御部５１０が、前述の図２３の類似評価点算出テーブルＴ３００に基づいて、ｋ番目メタ情報と、読出しメタ情報ファイルに記述されている複数のメタ情報の各々とを比較する比較処理を行ない、類似評価点を算出する。類似評価点の算出方法は、ステップＳ４４２の類似評価点算出処理と同様なので詳細な説明は繰り返さない。なお、読出しメタ情報ファイルに、再生済録画データのメタ情報がある場合、ステップＳ４４２の類似評価点算出処理と同様に、再生済録画データのメタ情報に対応する録画データの類似評価点は算出されない。これにより、読出しメタ情報ファイルの全てのメタ情報において、再生済録画データのメタ情報を除いた、複数のメタ情報の各々に対応する類似評価点が算出される。その後、ステップＳ６４３に進む。
【０３２４】
ステップＳ６４３では、検索評価リスト記述処理Ｂが行なわれる。検索評価リスト記述処理Ｂは、検索評価リストＢに情報を記述する処理である。ここで、検索評価リストＢとは、ステップＳ６４２の類似評価点算出処理Ｂにおいて算出された、全ての類似評価点の各々を、対応する録画データのメタ情報の一部とともに記述するためのリストである。検索評価リストＢは、記憶部５２０に記憶されている。なお、初期状態では、検索評価リストＢには、何も記述されていない。
【０３２５】
検索評価リスト記述処理Ｂでは、制御部５１０が、ステップＳ６４２の類似評価点算出処理Ｂにおいて算出された、全ての類似評価点の各々を、対応する録画データのメタ情報の一部および対応する端末名とともに、検索評価リストＢに記述する。これにより、検索評価リストＢに記述された情報は、たとえば、図２４のようになる。
【０３２６】
ステップＳ６４３の処理が終了すると、ステップＳ６４４に進む。
ステップＳ６４４では、全てのメタ情報ファイルの読出しが終了したか否かが判定される。具体的には、制御部５１０が、ｍの値が、記憶部５２０に記憶されているメタ情報パス名テーブルＴ２０（図６参照）に示されるパス名の数と一致するか否かを判定する。なお、メタ情報パス名テーブルＴ２０に示されるパス名の数は、“３”である。ステップＳ６４４において、ＹＥＳならば、後述するステップＳ６４４Ａに進む。一方、ステップＳ６４４において、ＮＯならば、ステップＳ６４５に進む。
【０３２７】
ステップＳ６４５では、制御部５１０が、ｍの値を１インクリメントする。その後、再度、ステップＳ６４１の処理が行なわれる。ここでは、ステップＳ６４５の処理の後、ｍの値が“２”となったとして、ステップＳ６４１で行なわれる処理を説明する。
【０３２８】
ステップＳ６４１では、ｍが“２”であるので、制御部５１０は、通信部５６２および通信部５０を介して、端末名がＰＣ５００Ｂであるコンテンツ再生装置５００Ｂにデータアクセスする。そして、制御部５１０は、コンテンツ再生装置５００Ｂの記憶部５２０において、メタ情報パス名テーブルＴ２０の番号“２”に対応するパス名の示す場所に記憶されているメタ情報ファイルを読み出す。その後、前述したステップＳ６４２，Ｓ６４３の処理が行なわれる。ステップＳ６４３の処理により、検索評価リストＢに記述された情報は、たとえば、前述の図２５のようになる。
【０３２９】
その後、前述のステップＳ６４４の処理が行なわれる。ステップＳ６４４において、ＮＯならば、ステップＳ６４５の処理を行なった後、再度、ステップＳ６４１の処理が行なわれる。
【０３３０】
そして、ステップＳ６４４でＹＥＳと判定されるまで、ステップＳ６４１，ステップＳ６４２，ステップＳ６４３，ステップＳ６４５の処理が繰り返される。なお、ステップＳ６４１において、制御部５１０が、コンテンツ再生装置５００Ｃの記憶部５２０に記憶されているメタ情報ファイルの読み出す処理は、ｍが“２”である場合の、前述したステップＳ６４１の処理と同様なので詳細な説明は繰り返さない。
【０３３１】
ステップＳ６４４において、ＹＥＳと判定されると、ステップＳ６４４Ａに進む。
ステップＳ６４４Ａでは、制御部５１０が、ｍの値を１に設定する。その後、ステップＳ６４４Ｂに進む。
【０３３２】
ステップＳ６４４Ｂでは、制御部５１０が、検索評価リストＢに記述された情報を消去する。その後、この検索処理Ｂは終了し、図２７の再生メニュー表示処理に戻り、ステップＳ６４０の次のステップＳ６５２に進む。
【０３３３】
再び、図２７を参照して、ステップＳ６５２では、ｋ番目リスト再生録画データがあるか否かが判定される。具体的には、制御部５１０が、記憶部５２０に記憶されている検索評価リストＡにおいて、ｋ番目録画データ判定基準点以上の類似評価点の録画データの情報があるか否かを判定する。ここで、ｋ番目録画データ判定基準点とは、ｋ番目リスト再生録画データがあるか否かを判定するための基準点である。ｋ番目録画データ判定基準点は、前述の１番目録画データ判定基準点と同じ値である。ｋ番目録画データ判定基準点は、たとえば、４であるとする。なお、ｋ番目録画データ判定基準点以上の類似評価点が算出された録画データがなければ、ｋ番目リスト再生録画データはなしと判定される。また、ｋ番目録画データ判定基準点以上の類似評価点が算出された録画データが複数ある場合は、制御部５１０により、当該複数の録画データのうち、最も類似評価点の高い録画データがｋ番目リスト再生録画データと判定される。ステップＳ６５２において、ＹＥＳならば、ステップＳ６５６に進む。一方、ステップＳ６５２において、ＮＯならば、後述するステップＳ６６０に進む。
【０３３４】
ステップＳ６５６では、続き再生処理が行なわれる。続き再生処理では、制御部５１０が、ｋ番目メタ情報に記述されているｋ番目リスト再生録画データのパス名を参照して、ｋ番目リスト再生録画データを読み出す。ここでは、ｋ番目リスト再生録画データは、コンテンツ再生装置５００Ｂの記憶部５２０に記憶されているとする。したがって、制御部５１０は、通信部５６２および通信部５０を介して、コンテンツ再生装置５００Ｂの記憶部５２０から、ｋ番目リスト再生録画データを読み出す。
【０３３５】
制御部５１０は、読み出したｋ番目リスト再生録画データにおいて、コンテンツ情報の再生箇所の情報に基づいて、ｋ番目リスト再生録画データを再生する。たとえば、コンテンツ情報の再生箇所の情報が、図３５のリスト詳細画像Ｇ８００内の詳細情報表示画像Ｇ８１０の番号“２”に対応する情報であるとする。この場合、制御部５１０は、ｋ番目リスト再生録画データにおいて、最初から３０分経過した時点から、最初から４０分経過した時点までの期間の録画データに基づく動画像を、ＶＤＰ５３０を利用して、表示部５３０に表示させる。ｋ番目リスト再生録画データの再生が終了すると、ステップＳステップＳ６５８に進む。以下においては、再生が終了したｋ番目リスト再生録画データも、再生済録画データともいう。
【０３３６】
ステップＳ６５８では、制御部５１０が、ｋの値を１インクリメントする。その後、再度、ステップＳ６３７Ａの処理が行なわれる。
【０３３７】
以上の処理により、コンテンツリストに基づいて、自動的に、複数の録画データが順次再生される。また、記憶部５２０に、ｋ番目リスト再生録画データない場合でも、ネットワーク内の他のコンテンツ再生装置の記憶部にｋ番目リスト再生録画データがあった場合、自動的に、続きを再生させることができる。これにより、記憶部５２０に、ｋ番目リスト再生録画データない場合、ネットワーク内の他のコンテンツ再生装置にアクセスして、再生済録画データの続きのｋ番目リスト再生録画データを検索するといった手間から、ユーザを開放させることができる。したがって、ネットワークにおいて共有されているコンテンツである録画データの再生の利便性を向上させることができるという効果を奏する。また、コンテンツリストに基づいて、自動的に、複数の録画データが順次再生されため、複数のコンテンツの再生の利便性を向上させることができるという効果を奏する。
【０３３８】
また、再生される録画データは、コンテンツリストに記述されているコンテンツ情報に基づく「再生箇所」の部分のみ再生される。たとえば、連続ドラマ番組では、各番組の録画データに対し、ドラマの重要な部分に対し「再生箇所」を設定することで、連続ドラマ番組の内容をユーザに短時間で把握させることができるという効果を奏する。また、「再生箇所」は、ユーザが自由に設定可能である。そのため、録画データに「再生箇所」を設定することで、ユーザは、お気に入りの部分の動画像の部分のみを、視聴することができる。すなわち、ユーザは、見たくない部分を見なくてすむので、ユーザが無駄な時間を過ごすのを防ぐことができる。すなわち、ユーザは、興味が高い番組を効率よく視聴することができる。したがって、複数のコンテンツの再生の利便性を向上させることができるという効果を奏する。
【０３３９】
前述のステップＳ６３６，Ｓ６５２において、ＮＯならば、ステップＳ６６０に進む。
ステップＳ６６０では、コンテンツ購入処理Ａが行なわれる。
【０３４０】
図３８は、コンテンツ購入処理Ａのフローチャートである。なお、図３８には、コンテンツサーバ６００で行なわれる処理のフローチャートも示される。コンテンツサーバ６００の記憶部６２０には、現在の日時から、所定期間（たとえば、１週間）前までの日時までの期間における、全てのチャンネルの全ての番組の録画データが記憶されている。また、コンテンツサーバ６００の記憶部６２０には、複数のコンテンツリストと共に、複数のコンテンツリストの各々に記述されている複数のコンテンツ情報にそれぞれ対応する複数の録画データも記憶されているとする。前述したように、コンテンツサーバ６００は、１つの番組全てではなく、１つの番組のうちの一部分のみの視聴を望むユーザのために当該一部分のデータの購入を可能にするサーバである。
【０３４１】
ステップＳ６６１では、制御部５１０が、コンテンツ要求信号を生成する。コンテンツ要求信号には、コンテンツサーバ６００にアクセスするためのパスワードが含まれる。
【０３４２】
ステップＳ６３６でＮＯと判定されて、ステップＳ６６０の処理が行なわれる場合、コンテンツ要求信号は、第１メタ情報に対応するコンテンツ情報に対応する１番目リスト再生録画データを購入するための信号であるとする。なお、第１メタ情報に対応するコンテンツ情報により、１番目リスト再生録画データに「再生箇所」が設定されている場合、コンテンツ要求信号は、１番目リスト再生録画データにおいて、「再生箇所」に対応する部分の録画データを購入するための信号となる。
【０３４３】
また、ステップＳ６５２でＮＯと判定されて、ステップＳ６６０の処理が行なわれる場合、コンテンツ要求信号は、ｋ番目リスト再生録画データを購入するための信号であるとする。なお、ｋ番目メタ情報に対応するコンテンツ情報により、ｋ番目リスト再生録画データに「再生箇所」が設定されている場合、コンテンツ要求信号は、ｋ番目リスト再生録画データにおいて、「再生箇所」に対応する部分の録画データを購入するための信号となる。その後、ステップＳ６６２に進む。
【０３４４】
ステップＳ６６２では、制御部５１０が、生成したコンテンツ要求信号を、通信部５０およびネットワーク７０を介して、コンテンツサーバ６００へ送信する。
【０３４５】
コンテンツサーバ６００では、以下の処理が行なわれる。まず、ステップＳ７１０では、制御部６１０が、コンテンツ要求信号を受信したか否かを判定する。ステップＳ７１０において、ＹＥＳならば、ステップＳ７２０に進む。一方、ステップＳ７１０において、ＮＯならば、再度、ステップＳ７１０の処理が行なわれる。
【０３４６】
ステップＳ７２０では、認証処理が行なわれる。ステップＳ７２０では、ステップＳ５２０と同様な処理が行なわれるので詳細な説明は繰り返さない。ステップＳ７２０において、ＹＥＳならば、ステップＳ７３０に進む。一方、ステップＳ７２０において、ＮＯならば、再度、ステップＳ７１０の処理が行なわれる。
【０３４７】
ステップＳ７３０では、課金処理が行なわれる。課金処理では、制御部６１０が、コンテンツ要求信号で要求された録画データに基づいて、当該録画データを要求するユーザが支払うべき金額を算出する。そして、算出した金額の情報（以下、課金情報ともいう）を、コンテンツ再生装置５００Ａへ送信する。
【０３４８】
コンテンツ再生装置５００Ａでは、ステップＳ６６２の処理の後、ステップＳ６６３に進む。
【０３４９】
ステップＳ６６３では、コンテンツ再生装置５００Ａの制御部５１０が、コンテンツサーバ６００から送信された課金情報を受信する。ステップＳ６６３の処理は、ステップＳ４６３の処理と同様なので詳細な説明は繰り返さない。その後、ステップＳ６６４に進む。
【０３５０】
ステップＳ６６４では、ステップＳ４６４と同様に、承諾操作に応じて、承諾信号が送信される。承諾信号は、制御部５１０が、承諾操作に基づいて、生成する信号である。そして、制御部５１０は、生成した承諾信号をコンテンツサーバ６００へ送信する。
【０３５１】
コンテンツサーバ６００では、ステップＳ７３０の処理の後、ステップＳ７４０に進む。
【０３５２】
ステップＳ７４０では、制御部６１０が、承諾信号を受信したか否かを判定する。ステップＳ７４０において、ＹＥＳならば、ステップＳ７５０に進む。一方、ステップＳ７４０において、ＮＯならば、再度、ステップＳ７４０の処理が行なわれる。
【０３５３】
ステップＳ７５０では、制御部６１０が、コンテンツ要求信号で要求されたデータを記憶部６２０から読出し、コンテンツ再生装置５００Ａへ送信する。なお、コンテンツ要求信号が、１番目リスト再生録画データにおいて、「再生箇所」に対応する部分の録画データを購入するための信号である場合、制御部６１０は、リスト再生録画データにおいて、「再生箇所」に対応する部分の録画データを、コンテンツ再生装置５００Ａへ送信する。この場合、コンテンツ要求信号は、１番目リスト再生録画データにおいて、「再生箇所」に対応する部分の録画データを購入するための部分要求信号となる。
【０３５４】
また、コンテンツ要求信号が、ｋ番目リスト再生録画データにおいて、「再生箇所」に対応する部分の録画データを購入するための信号である場合、制御部６１０は、ｋ番目リスト再生録画データにおいて、「再生箇所」に対応する部分の録画データを、コンテンツ再生装置５００Ａへ送信する。この場合、コンテンツ要求信号は、ｋ番目リスト再生録画データにおいて、「再生箇所」に対応する部分の録画データを購入するための部分要求信号となる。
【０３５５】
コンテンツ再生装置５００Ａでは、ステップＳ６６４の処理の後、ステップＳ６６６に進む。
【０３５６】
ステップＳ６６６では、制御部５１０が、コンテンツサーバ６００から、要求したデータの受信を開始する。その後、このコンテンツ購入処理Ａは終了し、図２７のリスト再生処理に戻り、ステップＳ６６０の次のステップＳ６７０に進む。
【０３５７】
なお、ステップＳ６６０と、ステップＳ６７０との間に、前述のステップＳ６３４の処理が行なわれてもよい。この場合、制御部５１０により、続き再生操作があると判定されると、ステップＳ６７０に進む。一方、制御部５１０により、続き再生終了操作があると判定されると、このリスト再生処理は終了し、図７のコンテンツ取扱い処理に戻り、再度、ステップＳ１１０の処理が行なわれる。
【０３５８】
ステップＳ６７０では、続き再生処理が行なわれる。続き再生処理では、ステップＳ４７０と同様な処理が行なわれるので詳細な説明は繰り返さない。コンテンツサーバ６００から受信したデータの再生が終了すると、ステップＳ６７２に進む。
【０３５９】
ステップＳ６７２では、制御部５１０が、第１メタ情報を参照済みであるか否かを判定する。すなわち、一度、ステップＳ６３２の処理において、ＹＥＳと判定され、ステップＳ６３３の処理が行なわれたか否かが判定される。ステップＳ６７２において、ＹＥＳならば、ステップＳ６７８に進む。一方、ステップＳ６７２において、ＮＯならば、再度、ステップＳ６３７Ａに進む。
【０３６０】
ステップＳ６７８では、制御部５１０が、ｋの値を１インクリメントする。その後、再度、ステップＳ６３７Ａの処理が行なわれる。
【０３６１】
以上の処理により、本実施の形態では、リスト再生録画データまたはｋ番目リスト再生録画データがホームネットワーク内のコンテンツ再生装置にない場合であっても、コンテンツサーバ６００から、必要な録画データを購入して、受信する。そして、受信したデータに基づく動画像を、表示部５３０に表示させる。
【０３６２】
また、コンテンツサーバ６００から、購入する録画データは、１つの番組の一部分の録画データである場合もある。この場合、ユーザは、視聴を望む番組の全てに対する料金ではなく、番組の一部分のデータに基づいた料金を支払うのみでよいため、無駄な支払いを避けることができるという効果を奏する。
【０３６３】
再び、図７を参照して、前述のステップＳ１６０において、ＮＯならば、ステップＳ１９０に進む。
【０３６４】
ステップＳ１９０では、制御部５１０が、終了操作があるか否かを判定する。ここで、終了操作とは、インターフェース操作Ｐにより、コンテンツ取扱いプログラムの実行を終了させるための操作である。ステップＳ１９０において、ＹＥＳならば、このコンテンツ取扱い処理は、終了する。一方、ステップＳ１９０において、ＮＯならば、再度、ステップＳ１１０の処理が行なわれる。
【０３６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０３６６】
【図１】本実施の形態におけるネットワークシステムの構成を示す図である。
【図２】本実施の形態におけるコンテンツ再生装置の内部の構成を示すブロック図である。
【図３】一例としての番組情報データテーブルを示す図である。
【図４】本実施の形態におけるコンテンツサーバの内部の構成を示すブロック図である。
【図５】メタ情報ファイルパス名取得処理のフローチャートである。
【図６】一例としてのメタ情報パス名テーブルを示す図である。
【図７】コンテンツ取扱い処理のフローチャートである。
【図８】一例としてのメニュー画像を示す図である。
【図９】録画設定処理のフローチャートである。
【図１０】一例としての録画予約画像を示す図である。
【図１１】一例としての録画予約データを示す図である。
【図１２】一例としての録画予約画像を示す図である。
【図１３】録画実行処理のフローチャートである。
【図１４】一例として、メタ情報ファイルに記述されるメタ情報を示す図である。
【図１５】一例として、メタ情報ファイルに記述される複数のメタ情報を示す図である。
【図１６】一例としての最新メタ情報表示画像を示す図である。
【図１７】一例としてのメタ情報編集画像を示す図である。
【図１８】再生メニュー表示処理のフローチャートである。
【図１９】一例としての再生メニュー画像を示す図である。
【図２０】途中録画データを説明するための図である。
【図２１】一例としての問合せ画像を示す図である。
【図２２】検索処理のフローチャートである。
【図２３】一例としての類似評価点算出テーブルを示す図である。
【図２４】一例として、検索評価リストに記述された情報を示す図である。
【図２５】一例として、検索評価リストに記述された情報を示す図である。
【図２６】コンテンツ購入処理のフローチャートである。
【図２７】リスト再生処理のフローチャートである。
【図２８】一例としてのリスト一覧画像を示す図である。
【図２９】リスト取得Ｗｅｂ画像を示す図である。
【図３０】一例としてのコンテンツリストの情報を示す図である。
【図３１】一例としてのリスト追加画像を示す図である。
【図３２】一例としてのリスト作成画像を示す図である。
【図３３】一例としてのリスト一覧画像を示す図である。
【図３４】一例としてのリスト編集画像を示す図である。
【図３５】一例としてのリスト詳細画像を示す図である。
【図３６】検索処理Ａのフローチャートである。
【図３７】検索処理Ｂのフローチャートである。
【図３８】コンテンツ購入処理Ａのフローチャートである。
【符号の説明】
【０３６７】
５０  通信部、７０  ネットワーク、１８０，１８０Ｍ  プログラム、３００  リモコン、５００Ａ，５００Ｂ，５００Ｃ  コンテンツ再生装置、５１０，６１０  制御部、５２０，６２０  記憶部、５３０，６３０  表示部、５５５，５５５Ｍ  記録媒体、６００  コンテンツサーバ、１０００  ネットワークシステム。
【図１】
0004540634.tif 000002
【図２】
0004540634.tif 000003
【図３】
0004540634.tif 000004
【図４】
0004540634.tif 000005
【図５】
0004540634.tif 000006
【図６】
0004540634.tif 000007
【図７】
0004540634.tif 000008
【図８】
0004540634.tif 000009
【図９】
0004540634.tif 000010
【図１０】
0004540634.tif 000011
【図１１】
0004540634.tif 000012
【図１２】
0004540634.tif 000013
【図１３】
0004540634.tif 000014
【図１４】
0004540634.tif 000015
【図１５】
0004540634.tif 000016
【図１６】
0004540634.tif 000017
【図１７】
0004540634.tif 000018
【図１８】
0004540634.tif 000019
【図１９】
0004540634.tif 000020
【図２０】
0004540634.tif 000021
【図２１】
0004540634.tif 000022
【図２２】
0004540634.tif 000023
【図２３】
0004540634.tif 000024
【図２４】
0004540634.tif 000025
【図２５】
0004540634.tif 000026
【図２６】
0004540634.tif 000027
【図２７】
0004540634.tif 000028
【図２８】
0004540634.tif 000029
【図２９】
0004540634.tif 000030
【図３０】
0004540634.tif 000031
【図３１】
0004540634.tif 000032
【図３２】
0004540634.tif 000033
【図３３】
0004540634.tif 000034
【図３４】
0004540634.tif 000035
【図３５】
0004540634.tif 000036
【図３６】
0004540634.tif 000037
【図３７】
0004540634.tif 000038
【図３８】
0004540634.tif 000039